(57)【要約】リン酸化アミノ酸、リン酸化ペプチド、リン酸化タンパク質を含有する試料より、それらを容易且つ簡便に選択的に検出同定、抽出、分離、精製を行うことを目的とし、リン酸化アミノ酸、リン酸化ペフチド又はリン酸化タンパク質を含む試料を、酸化チタンカラムを前処理カラムとする逆相系ＨＰＬＣカラムに通し、前処理カラムにリン酸化アミノ酸、リン酸化ペプチド又はリン酸化タンパク質を保持させ、逆相系ＨＰＬＣカラムにリン酸化されないアミノ酸、ペプチド又はタンパク質を保持させる工程と、逆相系ＨＰＬＣカラムに保持したリン酸化されないアミノ酸、ペプチド又はタンパク質を溶出させる工程と、次ぎに前処理カラムに保持したリン酸化アミノ酸、リン酸化ペプチド又はリン酸化タンパク質をバッファーにより溶出させる工程と、それらを検出する工程とよりなる。
2003065031.tif 000002
【特許請求の範囲】
【請求項１】
リン酸化アミノ酸、リン酸化ペプチド、リン酸化タンパク質、リン酸化糖又はリン脂質を含む試料を酸化チタンカラムを前処理カラムとして使用して酸性雰囲気下で保持させるリン酸化合物の保持工程と、保持されなかったアミノ酸、ペプチド、タンパク質、糖又は脂質を所望のカラムにて分離・精製し、所望の検出器で検出する、或いはそれらを精製せず所望の検出器で検出する非リン酸化合物の検出工程、或いはそれらを分離・精製せず検出もしない工程と、次に前処理カラムに保持されたリン酸化アミノ酸、リン酸化ペプチド、リン酸化タンパク質、リン酸化糖又はリン脂質をリン酸塩、リン酸或いはアルカリを含む溶液により溶出させるリン酸化合物の溶出工程と、それらを所望のカラムにて分離・精製し、所望の検出器で検出する、或いはそれらを精製せず所望の検出器で検出するリン酸化合物の検出工程よりなることを特徴とするアミノ酸、ペプチド、タンパク質、糖又は脂質分析方法。
【請求項２】
リン酸化アミノ酸、リン酸化ペプチド、リン酸化タンパク質又はそれらを含む試料をｐＨ２程度の酸性溶液を含む溶液で酸化チタンカラムを前処理カラムとする逆相系ＨＰＬＣカラムに供給し、試料マトリクスの中からリン酸化アミノ酸、リン酸化ペプチド又はリン酸化タンパク質を選択的に保持させ、前処理カラムに保持されなかったアミノ酸、ペプチド又はタンパク質を逆相系ＨＰＬＣカラムにて精製し、所望の検出器で検出する工程と、次に前処理カラムに保持されたリン酸化アミノ酸、リン酸化ペプチド又はリン酸化タンパク質を５０ｍＭ以上のリン酸バッファーにより溶出させ、それらを逆相系ＨＰＬＣカラムと所望の検出器にて分離検出を行う工程よりなることを特徴とするリン酸化アミノ酸、リン酸化ペプチド又はリン酸化タンパク質の抽出分離を含むアミノ酸、ペプチド又はタンパク質分析方法。
【請求項３】
リン酸化アミノ酸、リン酸化ペプチド、リン酸化タンパク質、リン酸化糖又はリン脂質を含む試料を酸化チタンカラムを前処理カラムとして使用して酸性雰囲気下で保持させた後、リン酸化合物の溶出工程にて溶出された化合物を検出工程に移行せず、分取して利用するリン酸化アミノ酸、リン酸化ペプチド、リン酸化タンパク質、リン酸化糖又はリン脂質の抽出分離・精製方法。
【請求項４】
リン酸化アミノ酸、リン酸化ペプチド、リン酸化タンパク質、リン酸化糖又はリン脂質を含む試料を酸化チタンカラムを前処理カラムとして使用して酸性雰囲気下で保持させるリン酸化合物の保持工程に於いて、ｐＨ０．５〜７．０の酸性溶液を含む溶液で酸化チタンカラムを前処理カラムとして使用して保持させ、非リン酸化合物を検出する工程と、リン酸化合物の溶出工程に於いて１０ｍＭ以上２０００ｍＭ以下のリン酸塩、０．０６％以上のリン酸あるいはｐＨ７．０以上のアルカリを含む溶液により溶出させリン酸化合物を検出する工程よりなることを特徴とするリン酸化アミノ酸、リン酸化ペプチド、リン酸化タンパク質、リン酸化糖又はリン脂質の抽出分離を含むアミノ酸、ペプチド、タンパク質、糖又は脂質分析方法。
【請求項５】
リン酸化アミノ酸、リン酸化ペプチド、リン酸化タンパク質、リン酸化糖又はリン脂質を含む試料を酸化チタンカラムを前処理カラムとして使用して酸性雰囲気下で保持させる等のリン酸化合物の検出工程に於いて、リン酸化合物の分離・精製に逆相系固相を用い、所望の検出器のイオン化部がＭＡＬＤＩプレートであるＭＳとするリン酸化アミノ酸、リン酸化ペプチド、リン酸化タンパク質、リン酸化糖又はリン脂質の抽出分離を含むアミノ酸、ペプチド、タンパク質、糖又は脂質分析方法。
【請求項６】
リン酸化糖を含む試料を酸化チタンカラムを前処理カラムとして使用して酸性雰囲気下で保持させるリン酸化合物の保持工程に於いて、ｐＨ０．８程度の酸性溶液を含む溶液で保持させ、非リン酸化合物の検出工程に於いて分離・精製に陰イオン交換カラムを使用し、リン酸化合物の溶出工程に於いて５０ｍＭ以上のリン酸塩、１％以上のリン酸或いはｐＨ１１．２５以上のアルカリを含む溶液により溶出させ、リン酸化合物の検出工程に於いて分離・精製に陰イオン交換カラムを使用することを特徴とするリン酸化糖の抽出分離を含む糖分析方法。
【請求項７】
リン脂質を含む試料を酸化チタンカラムを前処理カラムとして使用して酸性雰囲気下で保持させるリン酸化合物の保持工程に於いて、ｐＨ２．０程度の酸性溶液を含む溶液で保持させ、非リン酸化合物の検出工程に於いて分離・精製に逆相系カラムを使用し、リン酸化合物の溶出工程に於いて０．６％以上のリン酸を含む溶液により溶出させ、リン酸化合物の検出工程に於いて分離・精製に逆相系カラムを使用することを特徴とするリン脂質の抽出分離を含む脂質分析方法。
【請求項８】
リン酸化アミノ酸、リン酸化ペプチド、リン酸化タンパク質又はそれらを含む試料を酸化チタンカラムを前処理カラムとして使用して酸性雰囲気下で保持させるリン酸化合物の保持工程に於いて、ｐＨ２．０程度の酸性溶液を含む溶液で保持させ、非リン酸化合物の検出工程に於いて分離・精製に逆相系カラムを使用し、リン酸化合物の溶出工程に於いて、５０ｍＭ以上のリン酸塩、０．６％以上のリン酸或いはｐＨ１１．２５以上のアルカリを含む溶液により溶出させ、リン酸化合物の検出工程に於いて分離・精製に逆相系カラムを使用することを特徴とするリン酸化アミノ酸、リン酸化ペプチド又はリン酸化タンパク質の抽出分離を含むアミノ酸、ペプチド又はタンパク質分析方法。
【請求項９】
所望数の溶媒をポンプに選択自在に接続すると共に、該ポンプはインジェクターを介してスイッチングバルブを連結する一方、スイッチングバルブには酸化チタンカラム及び逆相系ＨＰＬＣカラムを接続して酸化チタンカラムを前処理カラムに設定自在とし、逆相系ＨＰＬＣカラムに検出器を接続することを特徴とするリン酸化アミノ酸等の選択的抽出分離装置。
【請求項１０】
所望数の溶媒をポンプに選択自在に接続すると共に、該ポンプはインジェクターを介してスイッチングバルブを連結する一方、スイッチングバルブには酸化チタンカラム及び固相抽出カラムを接続して酸化チタンカラムを前処理カラムに設定自在とし、固相抽出カラムに検出器を接続することを特徴とするリン酸化アミノ酸等の選択的抽出分離装置。
【発明の詳細な説明】
技術分野
本発明はリン酸化アミノ酸、リン酸化ペプチド又はリン酸化タンパク質等のリン酸化物の簡便な抽出若しくは分離方法及び装置に関するものである。
背景技術
リン酸化タンパク質は生体内で細胞内のシグナル伝達など重要な役割を担っており、細胞内シグナル伝達カスケードについて知見を得るにはリン酸化タンパク質解析技術は必須である。生体内でのシグナル伝達解析は学術分野のみならず医療、製薬、食品分野においても重要である。
シグナル伝達を含む細胞内の状態変化を探るため、近年登場したプロテオミクスにおいては、ある状態（例えば何か刺激が加わった状態）の細胞中の発現タンパク質を取りこぼすこと無く検出同定し、各タンパク質の存在量の変化、タンパク質の相互作用更に修飾やその他活性型の解析を行い、シグナル伝達を含む細胞内の状態変化を探ることを目指している。現在一般的な実験法として、分画したタンパク質をトリプシン等の消化酵素で加水分解し、生じたペプチドをＭＳ分析し、データベースを活用してタンパク質の同定、定量を行う。ただデータベースの充実化から、実験法自体がタンパク質を混合物のまま加水分解し、ＭＳ分析する方向へ変わりつつあり、ペプチド混合物の中からリン酸化ペプチドを検出・定量する技術が必要になる。本発明はこの必要を満たす手法となりうる。
現在実用化されているリン酸化タンパク質の分析法のうち、いくつかの方法について具体的に説明し、夫々の方法の問題点を挙げる。
リン酸化タンパク質検出法の１つに、二次元電気泳動とアルカリフォスファターゼ処理を組合わせ、フォスファターゼ処理により移動したスポットをリン酸化タンパク質とし、これを加水分解した後ＭＳ分析でリン酸化部位の決定とタンパク質のリン酸化の程度を解析する方法があるが、２種の電気泳動板を比べてスポットの移動を判断するのは時間と経験を要する作業である。
又、リン酸化アミノ酸残基を一部重水素置換されたビオチン残基へ化学変換し、ビオチン・アビジンアフィニティ、トリブシン消化、ＭＳ／ＭＳ分析によりリン酸化タンパク質の選択的濃縮や定量、タンパク質のリン酸化の程度を定量する方法があるが、リン酸基のビオチン残基への化学変換により、間接的な分析法となる。
又、ＭＡＬＤＩ−ＴＯＦ（Ｍａｔｒｉｘ  Ａｓｓｉｓｔｅｄ  Ｌａｓｅｒ  Ｄｅｓｏｒｐｔｉｏｎ  Ｉｏｎｉｚａｔｉｏｎ−ｔｉｍｅ  ｏｆ  ｆｌｉｇｈｔ）ＭＳやＮａｎｏｅｌｅｃｒｏｓｐｒａｙ  ＭＳでリン酸化ペプチド分析を行う場合の前処理として、リン酸基と金属イオンとの錯形成を利用したリン酸化ペプチドの濃縮法があるが、ペプチド中の１つのリン酸基を認識できない場合がある。又、ペプチド中にアスパラギン酸やグルタミン酸残基などがある場合、リン酸基が金属イオンと錯体を作る条件ではこれ等のアミノ酸も金属イオンと錯体を形成してしまうため、選択的濃縮が難しい。
ヒスチジン融合タンパク質とニッケル、鉄、鋼などのカラムの錯形成やＧＳＴ（ｇｌｕｔａｔｈｉｏｎｅ−ｓ−ｔｒａｎｓｆｅｒａｓｅ）融合タンパク質とグルタチオン固定化カラムのアフィニティー等で目的とするリン酸化タンパク質を分離した後、タンパク質のリン酸化の程度を測る技術として、抗体を用いた免疫ブロッティングによるリン酸化アミノ酸残基の定量法があるが、抗体が種々のリン酸化アミノ酸に対して万能でないため、何種類かの抗体を使い分けたり、抗体の作製から実験を行う必要があるケースがあり、試行錯誤を要する。又予め同位体３２Ｐで含量を測定する方法があるが、タンパク質の標識に時間を要する上、タンパク質の３２Ｐ含量の測定では実験者が放射線を浴びる危険性がある。
リン酸化タンパク質の解析には以上のような方法が使われているが、特にプロテオミクスのような分野では多くの検体を処理しなければならず、解析の簡便迅速化、低コスト化が望まれている。一方、酸化チタン（ＴｉＯ２）はケモアフィテイー担体として、その実用性と応用範囲の広さが注目を浴びている。高い耐酸、耐アルカリ性に加えて、優れた構造認識機能があり、特にリン酸基に対して高い吸着選択性を示すことが明らかになっている。
したがって、本発明は、簡便且つ安全、迅速に更に低コストでリン酸化アミノ酸、リン酸化ペプチド及びリン酸化タンパク質或いはリン酸化糖、リン酸化脂質等のリン酸化物の構造を壊すことのない選択的抽出若しくは分離、精製、検出する方法及びこれを使用する装置を提供することを目的としている。
発明の開示
簡便迅速にリン酸化アミノ酸、リン酸化ペプチド、リン酸化タンパク質等のリン酸化物を選択的に抽出又は分離することにより、学術、産業分野におけるリン酸化アミノ酸、リン酸化ペプチド及びリン酸化タンパク質解析の速度の向上、必要な経費の低減、実験操作の煩雑さや危険性を軽減するため、第１にリン酸化アミノ酸、リン酸化ペプチド、リン酸化タンパク質、リン酸化糖又はリン脂質を含む試料を酸化チタンカラムを前処理カラムとして使用して酸性雰囲気下で保持させるリン酸化合物の保持工程と、保持されなかったアミノ酸、ペプチド、タンパク質、糖又は脂質を所望のカラムにて分離・精製し、所望の検出器で検出する、或いはそれらを精製せず所望の検出器で検出する非リン酸化合物の検出工程、或いはそれらを分離・精製せず検出もしない工程と、次に前処理カラムに保持されたリン酸化アミノ酸、リン酸化ペプチド、リン酸化タンパク質、リン酸化糖又はリン脂質をリン酸塩、リン酸或いはアルカリを含む溶液により溶出させるリン酸化合物の溶出工程と、それらを所望のカラムにて分離・精製し、所望の検出器で検出する、或いはそれらを精製せず所望の検出器で検出するリン酸化合物の検出工程よりなることを特徴としている。このことにより、簡単迅速にリン酸化アミノ酸、リン酸化ペプチド、リン酸化タンパク質、リン酸化等、リン酸化脂質等のリン酸化物を選択的に抽出・分離することにより、学術、産業各分野におけるリン酸化アミノ酸、リン酸化ペプチド、リン酸化タンパク質、リン酸化糖、リン酸化脂質解析の速度の向上、実験操作の簡易化、危険性の防止等の効果をあげることが出来、産業上殊に食品、薬品工業に資する処大である。更には前処理カラムからの成分を廃棄することが出来る。その場合、該カラムからの溶出工程、当然検出工程をも省略でき、必要成分のみの工程とすることが出来、操作がより迅速簡易化できる。
第２にリン酸化アミノ酸、リン酸化ペプチド、リン酸化タンパク質又はそれらを含む試料をｐＨ２程度の酸性溶液を含む溶液で酸化チタンカラムを前処理カラムとする逆相系ＨＰＬＣカラムに供給し、試料マトリクスの中からリン酸化アミノ酸、リン酸化ペプチド又はリン酸化タンパク質を選択的に保持させ、前処理カラムに保持されなかったアミノ酸、ペプチド又はタンパク質を逆相系ＨＰＬＣカラムにて精製し、所望の検出器で検出する工程と、次に前処理カラムに保持されたリン酸化アミノ酸、リン酸化ペプチド又はリン酸化タンパク質を５０ｍＭ以上のリン酸バッファーにより溶出させ、それらを逆相系ＨＰＬＣカラムと所望の検出器にて分離検出を行う工程よりなることを特徴としている。このことにより、リン酸化アミノ酸、リン酸化ペプチド又はリン酸化タンパク質を含む試料をこの工程に乗せることにより、リン酸化アミノ酸等を試料中から選り分けることが出来る。即ち、この一連の工程により、目的成分のリン酸化アミノ酸等をチタニアカラムのプレカラムに選択保持し、他の成分を溶出させて逆相系ＨＰＬＣカラムに送り、検出等の操作を為し、次いで目的成分を溶出させ、逆相系ＨＰＬＣカラムに保持させて検出等を為すことにより、極めて簡単な操作で従来の夾雑物質の除去や溶出成分の分取、その他の複雑で面倒な操作を必要とせず、目的成分のリン酸化アミノ酸、リン酸化ペプチド、リン酸化タンパク質を抽出、分離、精製、定性、定量等を行うことが出来る。
第３にリン酸化アミノ酸、リン酸化ペプチド、リン酸化タンパク質、リン酸化糖又はリン脂質を含む試料を酸化チタンカラムを前処理カラムとして使用して酸性雰囲気下で保持させた後、リン酸化合物の溶出工程にて溶出された化合物を検出工程に移行せず、分取して利用することを特徴としている。このことにより、選択的に抽出されたリン酸化アミノ酸、リン酸化ペプチド、リン酸化タンパク質、リン酸化糖又はリン脂質の検出工程を省き、より迅速にそれらを生化学実験のアッセイなどに用いることが出来る。
第４にリン酸化アミノ酸、リン酸化ペプチド、リン酸化タンパク質、リン酸化糖又はリン脂質を含む試料を酸化チタンカラムを前処理カラムとして使用して酸性雰囲気下で保持させるリン酸化合物の保持工程に於いて、ｐＨ０．５〜７．０の酸性溶液を含む溶液で酸化チタンカラムを前処理カラムとして使用して保持させ非リン酸化合物を検出する工程と、リン酸化合物の溶出工程に於いて１０ｍＭ以上２０００ｍＭ以下のリン酸塩、０．０６％以上のリン酸あるいはｐＨ７．０以上のアルカリを含む溶液により溶出させリン酸化合物を検出する工程よりなることを特徴としている。このことにより、簡便な操作と安価な試薬を用いることでリン酸化アミノ酸、リン酸化ペプチド、リン酸化タンパク質、リン酸化糖又はリン脂質を選択的に抽出・分離できる。
第５にリン酸化アミノ酸、リン酸化ペプチド、リン酸化タンパク質、リン酸化糖又はリン脂質を含む試料を酸化チタンカラムを前処理カラムとして使用して酸性雰囲気下で保持させる等のリン酸化合物の検出工程に於いて、リン酸化合物の分離・精製に逆相系固相を用い、所望の検出器のイオン化部がＭＡＬＤＩプレートであるＭＳとすることを特徴としている。このことにより、夾雑のマトリクスや塩が混ざった状態ではイオン化し難いリン酸化アミノ酸、リン酸化ペプチド、リン酸化タンパク質、リン酸化糖又はリン脂質を、イオン化及びＭＳ測定し易い状態に出来る。
第６にリン酸化を含む試料を酸化チタンカラムを前処理カラムとして使用して酸性雰囲気下で保持させるリン酸化合物の保持工程に於いて、ｐＨ０．８程度の酸性溶液を含む溶液で保持させ、非リン酸化合物の検出工程に於いて分離・精製に陰イオン交換カラムを使用し、リン酸化合物の溶出工程に於いて５０ｍＭ以上のリン酸塩、１％以上のリン酸或いはｐＨ１１．２５以上のアルカリを含む溶液により溶出させ、リン酸化合物の検出工程に於いて分離・精製に陰イオン交換カラムを使用することを特徴としている。このことにより、簡便な操作と安価な試薬を用いることで抽出・分離したリン酸化糖を酸化チタンカラムと性質の異なるカラムを用いて分析して同定、更なる精製、定性又は定量できる。
第７にリン脂質を含む試料を酸化チタンカラムを前処理カラムとして使用して酸性雰囲気下で保持させるリン酸化合物の保持工程に於いて、ｐＨ２．０程度の酸性溶液を含む溶液で保持させ、非リン酸化合物の検出工程に於いて分離・精製に逆相系カラムを使用し、リン酸化合物の溶出工程に於いて０．５％以上のリン酸を含む溶液により溶出させ、リン酸化合物の検出工程に於いて分離・精製に逆相系カラムを使用することを特徴としている。このことにより、簡便な操作と安価な試薬を用いることで、抽出・分離したリン脂質を酸化チタンと性質の異なるカラムを用いて分析して同定、更なる精製、定性又は定量できる。
第８にリン酸化アミノ酸、リン酸化ペプチド、リン酸化タンパク質又はそれらを含む試料を酸化チタンカラムを前処理カラムとして使用して酸性雰囲気下で保持させるリン酸化合物の保持工程に於いて、ｐＨ２．０程度の酸性溶液を含む溶液で保持させ、非リン酸化合物の検出工程に於いて分離・精製に逆相系カラムを使用し、リン酸化合物の溶出工程に於いて、５０ｍＭ以上のリン酸塩、０．５％以上のリン酸或いはｐＨ１１．２５以上のアルカリを含む溶液により溶出させ、リン酸化合物の検出工程に於いて分離・精製に逆相系カラムを使用することを特徴としている。このことにより、簡便な操作と安価な試薬を用いることで、抽出・分離したリン酸化アミノ酸、リン酸化ペプチド、リン酸化タンパク質を酸化チタンカラムと性質の異なるカラムを用いて分析して同定、更なる精製、定性又は定量できる。
第９に所望数の溶媒をポンプに選択自在に接続すると共に、該ポンプはインジェクターを介してスイッチングバルブを連結する一方、スイッチングバルブには酸化チタンカラム及び逆相系ＨＰＬＣカラムを接続して酸化チタンカラムを前処理カラムに設定自在とし、逆相系ＨＰＬＣカラムに検出器を接続することを特徴としている。このことにより、酸化チタンカラムに試料成分を通すことにより、目的成分のリン酸化アミノ酸、リン酸化ペプチド等の選択的保持を行い、次いで目的成分以外を逆相系ＨＰＬＣカラムにて保持させ、続いて検出操作に移行させ、目的成分をバッファーにより溶出させ逆相系ＨＰＬＣカラムに保持させ、続いて検出、同定操作を行なうので、目的成分の存在量の変化等のプロテオミクスに於ける細胞内の状態変化に応答するタンパク質のリン酸化の程度の変化の追跡にも重要な装置となる。
第１０に所望数の溶媒をポンプに選択自在に接続すると共に、該ポンプはインジェクターを介してスイッチングバルブを連結する一方、スイッチングバルブには酸化チタンカラム及び固相抽出カラムを接続して酸化チタンカラムを前処理カラムに設定自在とし、固相抽出カラムに検出器を接続することを特徴としている。このことにより、酸化チタンカラムに試料成分を通すことにより、目的成分のリン酸化アミノ酸、リン酸化ペプチド等の選択的保持を行ない、次いで目的成分以外を固相カラムにて保持させ、続いて検出操作に移行させ、目的成分をバッファーにより溶出させ固相カラムに保持させ、続いて検出、同定操作を行なうので、目的成分の存在量の変化等のプロテオミクスに於ける細胞内の状態変化に応答するタンパク質のリン酸化の程度の変化の追跡にも重要な装置となる。
発明を実施する為の最良の形態
次に本発明を更に具体的に説明する。
本発明の１つは、酸化チタンカラム（Ｔｉｔａｎｓｐｈｅｒｅ（登録商標）ＴｉＯ）を用いた処理を逆相系ＨＰＬＣ分析の前処理とすることにより、リン酸化ペプチド、リン酸化アミノ酸、リン酸化タンパク質（以下リン酸化ペプチドと云う）を選択的に保持させ、リン酸化されないペプチド、アミノ酸、タンパク質（以下ペプチドと云う）は酸化チタンカラムを素通りさせ、逆相系ＨＰＬＣカラムの入口に保持濃縮させる。ここで該逆相系ＨＰＬＣカラムに保持されたリン酸化されていないペプチド等は溶離液を替えて溶出させ、連結する検出器、ＨＰＬＣ等の分析装置により検出、分析される。
次いで、逆相系ＨＰＬＣカラム内から有機溶媒を除くための水（トリフルオロ酢酸０．１％含有させることは推奨される。）を流す。そこで酸化チタンカラムからリン酸化ペプチドを溶出させ、逆相系ＨＰＬＣカラムに保持させるため、前処理カラム及び逆相系ＨＰＬＣカラムにバッファーを流す。
このバッファーはｐＨが５．６〜７．０の０．１Ｍリン酸化バッファーを使用し、リン酸化ペプチドを酸化チタンカラムから溶出させる溶媒に適する。又、バッファー中のリン酸濃度が高いとバッファーのｐＨが低くてもリン酸化ペプチド等を酸化チタンカラムから溶出できる。
次に図１により本発明の一実施装置を説明する。
溶媒１、溶媒２をポンプ３に選択自在に接続しておく。
ポンプ３は、インジェクター４を介してスイッチングバルブ５に連結してある。スイッチングバルブ５には酸化チタンカラム６を連接し、一方には逆相系ＨＰＬＣカラム７を連結し、該逆相系ＨＰＬＣカラム７にはＵＶ検出器８を接続してある。酸化チタンカラム６は充填剤の主成分をアナターゼ型酸化チタンを用いるのがよい。
検出器としては、高速液体クロマトグラフィーと接続可能であればよく、蛍光検出器、質量スペクトル検出器、電気化学検出器、示差屈折率検出器等が挙げられる。
アナターゼ型とルチル型の酸化チタンのＸ線結晶解析データを図２に示す。充填剤のＸ線結晶解析結果を図３に示す。
図２では、○印を付けたピークがアナターゼ型酸化チタンのピーク、印を付けないピークがルチル型酸化チタンのピークを表す。図３では、アナターゼ型の酸化チタンのピークが現れており、Ｔｉｔａｎｓｐｈｅｒｅ（登録商標）ＴｉＯ、充填剤の主成分がアナターゼ型であることを表している。
カラムの形態は球状チタニアゲルを充填したものが使用される。その粒子径は０．０１〜１０００μｍ、好ましくはＨＰＬＣの場合１〜１０μｍ、固相の場合５〜３００μｍの球状粒子がよい。又、０．１〜２０μｍの貫通孔を有する連続体が使用される。
＜実施例１＞
試料として以下を使用する。
アミノ酸１９残基の、配列が同じペプチド４種、分子量２０００前後：
（１）Ｎ末端から１１番目のスレオニン、１２番目のチロシンがリン酸化されたものと夾雑のペプチド
その一例を示すと、
ＹＳＫ  ＩＥＫ  ＩＧＥ  ＧＴ（ｐ）  Ｙ（ｐ）  ＧＶＶ  ＹＫＧ  Ｒ  ＭＷ：２３０７．４６
（２）Ｎ末端から１１番目のスレオニンがリン酸化されたものと夾雑のリン酸化されていないペプチド
その一例を示すと、
ＹＳＫ  ＩＥＫ  ＩＧＥ  ＧＴ（ｐ）  Ｙ  ＧＶＶ  ＹＫＧ  Ｒ  ＭＷ２２２７．４６
（３）Ｎ末端から１２番目のチロシンがリン酸化されたもの
その一例を示すと、
ＹＳＫ  ＩＥＫ  ＩＧＥ  ＧＴＹ（ｐ）  ＧＶＶ  ＹＫＧ  Ｒ  ＭＷ２２２７．４６
（４）リン酸化されていないもの
その一例を示すと、
ＹＳＫ  ＩＥＫ  ＩＧＥ  ＧＴＹ  ＧＶＶ  ＹＫＧ  Ｒ  ＭＷ２１４７．４６及びヒトインシュリン受容体断片（アミノ酸１２残基のペプチド）：
（５）ＴＲＤ  ＩＹ  （ｐ）  Ｅ  ＴＤＹ  ＹＲＫ（リン酸型）
（６）ＴＲＤ  ＩＹＥ  ＴＤＹ  ＹＲＫ
引用論文名
Ｄｅｓｈｉｍａｒｕ  Ｓ．，Ｍｉｙａｋｅ  Ｙ．，Ｏｈｍｉｙａ  Ｔ，，Ｔａｔｓｕ  Ｙ．，Ｅｎｄｏ  Ｙ．，Ｙｕｍｏｔｏ  Ｎ．，Ａｎｄ  Ｔｏｒａｙａ  Ｔ．，”ｃＤＮＡ  ｃｌｏｎｉｎｇ，ｅｘｐｒｅｓｓｉｎ，ａｎｄ  ｃａｔａｌｙｔｉｃ  ｐｒｏｐｅｒｔｉｅｓ  ｏｆ  Ｃｄｃ２５  ｐｈｏｓｐｈａｔａｓｅ  ｄｏｍａｉｎ  ｏｆ  ｔｈｅ  ｓｔａｒｆｉｓｈ  Ａｓｔｅｒｉｎａ  ｐｅｃｔｉｎｉｆｅｒａ”Ｊ．Ｂｉｏｃｈｅｍ（２００２），ｉｎ  ｐｒｅｓｓ
をそれぞれ逆相系ＨＰＬＣカラム（製品名Ｉｎｅｒｔｓｉｌ（登録商標）ＷＰ３００Ｃ８）、酸化チタンカラムをプレカラムとしたＩｎｅｒｔｓｉｌ（登録商標）ＷＰ３００Ｃ８で、トリフルオロ酢酸０．１％を含む水１００％からトリフルオロ酢酸０．１％を含むアセトニトリルの割合を４５％まで増やす条件でＨＰＬＣ分析した。用いたＨＰＬＣ分析システム概要を図１に、分析結果を図４〜９に示す。
図１では、酸化チタンカラムはＴｉｔａｎｓｐｈｅｒｅ（登録商標）ＴｉＯ（１０ｘ４．６ｍｍＩ．Ｄ．、ジーエルサイエンス製）を、逆相系ＨＰＬＣカラムはＩｎｅｒｔｓｉｌ（登録商標）ＷＰ３００Ｃ８（１０ｘ４．６ｍｍＩ．Ｄ．、ジーエルサイエンス製）を用いた。溶媒１はトリフルオロ酢酸を０．１％含む水、溶媒２はトリフルオロ酢酸を０．１％含むアセトニトリルを用いた。ＨＰＬＣシステムとして、ポンプＨＩＴＡＣＨＩ  Ｐｕｍｐ  Ｌ−７１２０、検出器ＨＩＴＡＣＨＩ  Ｄｉｏｄｅ  Ａｒｒａｙ  Ｄｅｔｅｃｔｏｒ  Ｌ−７４５５、データ処理機ＨＩＴＡＣＨＩ  ＳＹＳＴＥＭ  ＭＡＮＡＧＥＲ（以上、ＨＩＴＡＣＨＩ製）、インジェクターＲＨＥＯＤＹＮＥ８１２５（レオダイン社製）、スイッチングバルブＳＳＣ  Ｅ１Ｅ０１０（センシュー科学製）を用いた。Ｔｉｔａｎｓｐｈｅｒｅ（登録商標）ＴｉＯを前処理カラムとして直結したＩｎｅｒｔｓｉｌ（登録商標）ＷＰ３００Ｃ８を使うときは、スイッチングバルブの流路は白、Ｉｎｅｒｔｓｉｌ（登録商標）ＷＰ３００Ｃ８のみを使うときはスイッチングバルブの流路は黒とした。サンプルループ及び配管にはすべてピーク材を用いた。
図４は実施例１のペプチド（１）の分析データで、図４では、Ｉｎｅｒｔｓｉｌ（登録商標）ＷＰ３００Ｃ８を用いてのＨＰＬＣ分析によるデータａ上に何本か現れたピークのうち、主要なピークが、Ｔｉｔａｎｓｐｈｅｒｅ（登録商標）ＴｉＯを前処理カラムとして直結したＩｎｅｒｔｓｉｌ（登録商標）ＷＰ３００Ｃ８を用いてのＨＰＬＣ分析によるデータｂ上にて消失している。
カラム：ａ．Ｉｎｅｒｔｓｉｌ（登録商標）ＷＰ３００Ｃ８（１５０×４．６ｍｍＩ．Ｄ．）
ｂ．Ｔｉｔａｎｓｐｈｅｒｅ  ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：Ａ．水（０．１％トリフルオロ酢酸）
Ｂ．アセトニトリル（０．１％トリフルオロ酢酸）
Ａ／Ｂ＝１００／０（０ｍｉｎ）→５５／４５（９０ｍｉｎ）
流速：１．０ｍｌ／ｍｉｎ
カラム温度：室温
検出波長：ＵＶ２１０ｎｍ
サンプル：ペプチド（１）
図５は実施例１に示すペプチド（２）の分析データで、図５では、Ｉｎｅｒｔｓｉｌ（登録商標）ＷＰ３００Ｃ８を用いてのＨＰＬＣ分析によるデータａ上に現れた一本のピーク強度が、Ｔｉｔａｎｓｐｈｅｒｅ  ＴｉＯを前処理カラムとして直結したＩｎｅｒｔｓｉｌ（登録商標）ＷＰ３００Ｃ８を用いてのＨＰＬＣ分析によるデータｂ上にて減少している。
カラム：ａ．Ｉｎｅｒｔｓｉｌ（登録商標）ＷＰ３００Ｃ８（１５０×４．６ｍｍＩ．Ｄ．）
ｂ．Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：Ａ．水（０．１％トリフルオロ酢酸）
Ｂ．アセトニトリル（０．１％トリフルオロ酢酸）
Ａ／Ｂ＝１００／０（０ｍｉｎ）→５５／４５（９０ｍｉｎ）
流速：１．０ｍｌ／ｍｉｎ
カラム温度：室温
検出波長：ＵＶ２１０ｎｍ
サンプル：ペプチド（２）
後日、ペプチド（２）を逆相系ＨＰＬＣカラムを用いたイオンペアクロマトグラフィー分析すると、２本のピークが検出された事から、ペプチド（２）は逆相系ＨＰＬＣカラムによるデータ上では一本のピークとして現れるが、リン酸化されておらず、極性が近いペプチドとの混合物であることがわかった。このことから、逆相系分析では困難なリン酸化ペプチドのリン酸化の程度の分析も可能であることがわかった。
図６は実施例１のペプチド（３）の分析データで、図６では、Ｉｎｅｒｔｓｉｌ（登録商標）ＷＰ３００Ｃ８を用いてのＨＰＬＣ分析によるデータａ上に現れた一本のピークが、Ｔｉｔａｎｓｐｈｅｒｅ（登録商標）ＴｉＯを前処理カラムとして直結したＩｎｅｒｔｓｉｌ（登録商標）ＷＰ３００Ｃ８を用いてのＨＰＬＣ分析によるデータｂ上にてほぼ１００％消失している。
カラム：ａ．Ｉｎｅｒｔｓｉｌ（登録商標）ＷＰ３００Ｃ８（１５０×４．６ｍｍＩ．Ｄ．）
ｂ．Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：Ａ．水（０．１％トリフリオロ酢酸）
Ｂ．アセトニトリル（０．１％トリフルオロ酢酸）
Ａ／Ｂ＝１００／０（０ｍｉｎ）→５５／４５（９０ｍｉｎ）
流速：１．０ｍｌ／ｍｉｎ
カラム温度：室温
検出波長：ＵＶ２１０ｎｍ
サンプル：ペプチド（３）
図７は実施例１のペプチド（４）の分析データで、図７では、Ｉｎｅｒｔｓｉｌ（登録商標）ＷＰ３００Ｃ８を用いてのＨＰＬＣ分析によるデータａ上に現れた一本のピークは、Ｔｉｔａｎｓｐｈｅｒｅ（登録商標）ＴｉＯを前処理カラムとして直結したＩｎｅｒｔｓｉｌ（登録商標）ＷＰ３００Ｃ８を用いてのＨＰＬＣ分析によるデータｂにて減少していない。
カラム：ａ．Ｉｎｅｒｔｓｉｌ（登録商標）ＷＰ３００Ｃ８（１５０×４．６ｍｍＩ．Ｄ．）
ｂ．Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：Ａ．水（０．１％トリフルオロ酢酸）
Ｂ．アセトニトリル（０．１％トリフルオロ酢酸）
Ａ／Ｂ＝１００／０（０ｍｉｎ）→５５／４５（９０ｍｉｎ）
流速：１．０ｍｌ／ｍｉｎ
カラム温度：室温
検出波長：ＵＶ２１０ｎｍ
サンプル：ペプチド（４）
図８は実施例１のペプチド（５）の分析データで、図８では、Ｉｎｅｒｔｓｉｌ（登録商標）ＷＰ３００Ｃ８を用いてのＨＰＬＣ分析によるデータａ上に現れた一本のピークが、Ｔｉｔａｎｓｐｈｅｒｅ（登録商標）ＴｉＯを前処理カラムとして直結したＩｎｅｒｔｓｉｌ（登録商標）ＷＰ３００Ｃ８を用いてのＨＰＬＣ分析によるデータｂ上にてほぼ１００％消失している。
カラム：ａ．Ｉｎｅｒｔｓｉｌ（登録商標）ＷＰ３００Ｃ８（１５０×４．６ｍｍＩ．Ｄ．）
ｂ．Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：Ａ．水（０．１％トリフリオロ酢酸）
Ｂ．アセトニトリル（０．１％トリフルオロ酢酸）
Ａ／Ｂ＝１００／０（０ｍｉｎ）→５５／４５（４５ｍｉｎ）
流速：１．０ｍｌ／ｍｉｎ
カラム温度：室温
検出波長：ＵＶ２１０ｎｍ
サンプル：ペプチド（５）
図９は実施例１のペプチド（６）の分析データで、図９では、Ｉｎｅｒｔｓｉｌ（登録商標）ＷＰ３００Ｃ８を用いてのＨＰＬＣ分析によるデータａ上に現れた一本のピークは、Ｔｉｔａｎｓｐｈｅｒｅ  ＴｉＯを前処理カラムとして直結したＩｎｅｒｔｓｉｌ（登録商標）ＷＰ３００Ｃ８を用いてのＨＰＬＣ分析によるデータｂ上にて減少していない。
カラム：ａ．Ｉｎｅｒｔｓｉｌ（登録商標）ＷＰ３００Ｃ８（１５０×４．６ｍｍＩ．Ｄ．）
ｂ．Ｔｉｔａｎｓｐｈｅｒｅ（登録商標）ＴｉＯ（１０×４．０ｍｍＩ．Ｄ．）→Ｉｎｅｒｔｓｉｌ（登録商標）Ｃ８ＷＰ３００（１５０×４．６ｍｍＩ．Ｄ．）
溶離液：Ａ．水（０．１％トリフリオロ酢酸）
Ｂ．アセトニトリル（０．１％トリフルオロ酢酸）
Ａ／Ｂ＝１００／０（０ｍｉｎ）→５５／４５（４５ｍｉｎ）
流速：１．０ｍｌ／ｍｉｎ
カラム温度：室温
検出波長：ＵＶ２１０ｎｍ
サンプル：ペプチド（６）
これらの結果から、酸化チタンカラム（Ｔｉｔａｎｓｐｈｅｒｅ（登録商標）ＴｉＯ）を逆相系ＨＰＬＣカラム（Ｉｎｅｒｔｓｉｌ（登録商標）ＷＰ３００Ｃ８）のプレカラムとすることにより、Ｉｎｅｒｔｓｉｌ（登録商標）ＷＰ３００Ｃ８を用いてのＨＰＬＣ分析によるデータ上でリン酸化ペプチドのピークが消失することと、リン酸化されていないペプチドのピーク強度は減少しないことがわかった。このことから、Ｉｎｅｒｔｓｉｌ（登録商標）ＷＰ３００Ｃ８を用いてペプチドを分析する溶離液条件に含まれる比率の溶媒（トリフルオロ酢酸を０．１％含む水１００％の溶離液から、トリフルオロ酢酸を０．１％含む水５５％とトリフルオロ酢酸を０．１％含むアセトニトリル４５％の溶離液まで）では酸化チタンカラム（Ｔｉｔａｎｓｐｈｅｒｅ（登録商標）ＴｉＯ）によりリン酸化ペプチドを選択的に保持できることがわかった。
対象となるリン酸化ペプチドの分子量範囲は特に限定するものではなく、任意の分子量について可能である。後述する実施例７に示すカゼインのトリプシン消化物中には様々な分子量のペプチド断片が共存するが、そのような場合でもリン酸化ペプチドを選択的に抽出することが出来ている。このことから、酸化チタンによるリン酸化ペプチドの選択的抽出において対象となるペプチドの分子量は特に影響を与えないこと明らかである。
一般的にアミノ酸残基が２０残基以上のものがタンパク質として知られている。アミノ酸１９残基からなるペプチドについては後述する実施例６で示す様に選択的抽出が可能であった。このことから、アミノ酸残基が２０程度のタンパク質について抽出は充分に可能である。
酸化チタンによる選択的抽出はアミノ酸残基の数（分子量）によらないことがカゼインの酵素消化物の実施例から明らかである。又、低分子のリン酸化合物、例えばＡＭＰ（Ａｄｅｎｏｓｉｎｅ  Ｍｏｎｏ  Ｐｈｏｓｐｈａｔｅ）などの抽出についても酸化チタンが有効であることは広く知られており、同様に酸化チタンによるリン酸化アミノ酸の選択的抽出も可能であった。リン酸化アミノ酸の分析は、リン酸化ペプチド、リン酸化タンパク質中のどのアミノ酸がリン酸化されているのかを同定する際に必要である。酸化チタンを用いたリン酸化部位同定法の一例を以下に挙げる。
１．リン酸化ペプチド、リン酸化タンパク質をある条件下でアミノ酸にまで加水分解する。
２．その混合物を酸化チタンカラムに流し、リン酸化アミノ酸を選択的に抽出する。
３．酸化チタンカラムからリン酸化アミノ酸を溶出し、質量分析計で検出する（タンパク質を構成しているアミノ酸の種類及びその分子量は既に知られているため、質量分析系で溶出してきたアミノ酸の分子量を測定すればそのアミノ酸が何であるか容易に同定できる。）。
リン酸化部位の同定は高次構造のみならず、機能解析における機能発現機構の解明などにおいても重要である。
＜実施例２＞ｐＨ８．０の０．２Ｍリン酸バッファー（０．２Ｍリン酸水素二ナトリウムと０．２Ｍリン酸二水素ナトリウムで調整）を酸化チタンカラム（Ｔｉｔａｎｓｐｈｅｒｅ（登録商標）ＴｉＯ）に単一溶離液として流した状態で、ペプチド（５）を注入し、ＨＰＬＣ分析した。用いた分析システム概要を図１０に、分析結果を図１１に示す。
図１０では、酸化チタンカラムはＴｉｔａｎｓｐｈｅｒｅ（登録商標）ＴｉＯ（４．６ｘ１０ｍｍ、ジーエルサイエンス製）を用いた。溶媒は各実験に応じた単一溶離液を用いた。カラムと溶媒以外のＨＰＬＣシステムは＜実施例１＞と同様とした。スイッチングバルブの流路は白とした。
図１１では、ペプチド（５）は０．４０分で溶出された。この結果から、ｐＨ８．０の０．２Ｍリン酸バッファー（リン酸二水素ナトリウムとリン酸水素二ナトリウムで調整）がリン酸化ペプチドを酸化チタンカラム（Ｔｉｔａｎｓｐｈｅｒｅ（登録商標）ＴｉＯ）から溶出させる溶媒に適することが示唆された。
カラム：Ｔｉｔａｎｓｐｈｅｒｅ（登録商標）ＴｉＯ（１０×４．０ｍｍＩ．Ｄ．）
溶離液：０．２Ｍリン酸水素二ナトリウム／０．２Ｍリン酸二水素ナトリウム＝２０／１
流速：１．０ｍｌ／ｍｉｎ
カラム温度：室温
検出波長：ＵＶ２１０ｎｍ
サンプル：ペプチド（５）
＜実施例３＞ｐＨ９．０の０．０５Ｍリン酸水素二ナトリウムを酸化チタンカラム（Ｔｉｔａｎｓｐｈｅｒｅ（登録商標）ＴｉＯ）に単一溶離液として流した状態で、ペプチド（５）を注入し、ＨＰＬＣ分析した。用いた分析システムは＜実施例２＞と同様とした。分析結果を図１２に示す。
カラム：Ｔｉｔａｎｓｐｈｅｒｅ（登録商標）ＴｉＯ（１０×４．０ｍｍＩ．Ｄ．）
溶離液：０．０５Ｍリン酸水素二ナトリウム
流速：１．０ｍｌ／ｍｉｎ
カラム温度：室温
検出波長：ＵＶ２１０ｎｍ
サンプル：ペプチド（５）
図１２では、ペプチド（５）は０．５０分で溶出された。この結果から、ｐＨ９．０の０．０５Ｍリン酸水素二ナトリウムがリン酸化ペプチドを酸化チタンカラム（Ｔｉｔａｎｓｐｈｅｒｅ（登録商標）ＴｉＯ）から溶出させる溶媒に適することが示唆された。
＜実施例４＞酸化チタンカラム（Ｔｉｔａｎｓｐｈｅｒｅ（登録商標）ＴｉＯ）に
・０．０５Ｍリン酸二水素カリウム１００％から０．０５Ｍリン酸水素二カリウムの割合を１００％まで増やす条件
・０．１Ｍリン酸二水素カリウム１００％ら０．１Ｍリン酸水素二カリウムの割合を１００％まで増やす条件
・０．２Ｍリン酸二水素カリウム１００％から０．２Ｍリン酸水素二カリウムの割合を１００％まで増やす条件
で溶離液を流し、ペプチド（５）を注入し、それぞれの溶離液条件におけるペプチド（５）のＨＰＬＣ分析を行った。用いた分析システム概要を図１３に、分析結果を図１４〜１６に示す。
図１３では、酸化チタンカラムはＴｉｔａｎｓｐｈｅｒｅ（登録商標）ＴｉＯ（４．６ｘ１０ｍｍ、ジーエルサイエンス製）を用いた。溶媒は０．０５Ｍ、０．１Ｍ、０．２Ｍの３種のリン酸水素二カリウムと、０．０５Ｍ、０．１Ｍ、０．２Ｍの３種のリン酸二水素カリウムを用いた。カラムと溶媒以外のＨＰＬＣシステムは＜実施例１＞と同様とした。スイッチングバルブの流路は白とした。
図１４では、リン酸水素二カリウムの割合が４５〜５０％でペプチド（５）はＴｉｔａｎｓｐｈｅｒｅ（登録商標）ＴｉＯから溶出された。
カラム：Ｔｉｔａｎｓｐｈｅｒｅ（登録商標）ＴｉＯ（１０×４．０ｍｍＩ．Ｄ．）
溶離液：Ａ：０．０５Ｍリン酸水素二カリウム
Ｂ：０．０５Ｍリン酸二水素カリウム
Ａ／Ｂ＝０／１００（０ｍｉｎ）→１００／０（１０ｍｉｎ）
流速：１．０ｍｌ／ｍｉｎ
カラム温度：室温
検出波長：ＵＶ２１０ｎｍ
サンプル：ａ：ペプチド（５）            ｂ：無し
図１５では、リン酸水素二カリウムの割合が１３〜３０％でペプチド（５）はＴｉｔａｎｓｐｈｅｒｅ（登録商標）ＴｉＯから溶出された。
カラム：Ｔｉｔａｎｓｐｈｅｒｅ（登録商標）ＴｉＯ（１０×４．０ｍｍＩ．Ｄ．）
溶離液：Ａ：０．１Ｍリン酸水素二カリウム
Ｂ：０．１Ｍリン酸二水素カリウム
Ａ／Ｂ＝０／１００（０ｍｉｎ）→１００／０（１０ｍｉｎ）
流速：１．０ｍｌ／ｍｉｎ
カラム温度：室温
検出波長：ＵＶ２１０ｎｍ
サンプル：ａ：ペプチド（５）
ｂ：無し
図１６では、リン酸水素二カリウムの割合が１３〜３０％でペプチド（５）はＴｉｔａｎｓｐｈｅｒｅ（登録商標）ＴｉＯから溶出された。
カラム：Ｔｉｔａｎｓｐｈｅｒｅ（登録商標）ＴｉＯ（１０×４．０ｍｍＩ．Ｄ．）
溶離液：Ａ：０．２Ｍリン酸水素二カリウム
Ｂ：０．２Ｍリン酸二水素カリウム
Ａ／Ｂ＝０／１００（０ｍｉｎ）→１００／０（１０ｍｉｎ）
流速：１．０ｍｌ／ｍｉｎ
カラム温度：室温
検出波長：ＵＶ２１０ｎｍ
サンプル：ａ：ペプチド（５）
ｂ：無し
これらの結果から、バッファー中のリン酸濃度が高ければ、バッファーのｐＨが低くても、リン酸化ペプチドを酸化チタンカラム（Ｔｉｔａｎｓｐｈｅｒｅ（登録商標）ＴｉＯ）から溶出させられること、０．０５〜０．２Ｍのリン酸バッファーが、リン酸化ペプチドを酸化チタンカラム（Ｔｉｔａｎｓｐｈｅｒｅ（登録商標）ＴｉＯ）から溶出させる溶媒に適することが示唆された。また、０．０５〜０．２Ｍリン酸二水素カリウムでは、酸化チタンカラム（Ｔｉｔａｎｓｐｈｅｒｅ（登録商標）ＴｉＯ）によりリン酸化ペプチドを選択的に保持できることが示唆された。
＜実施例５＞ｐＨ５．６、５．９、６．５、７．０の４種の０．１Ｍリン酸バッファー（０．１Ｍリン酸水素二カリウムと０．１Ｍリン酸二水素カリウムで調整）をそれぞれ酸化チタンカラム（Ｔｉｔａｎｓｐｈｅｒｅ（登録商標）ＴｉＯ）に単一溶離液として流した状態で、ペプチド（１）〜（６）を注入し、それぞれのペプチドをＨＰＬＣ分析した。用いた分析システムは＜実施例２＞と同様とした。分析結果を図１７〜２４に示す。
図１７では、ペプチド（１）は１．３０分、ペプチド（２）は１．７５分、ペプチド（３）は２．２０分、ペプチド（４）は４．２５分で溶出された。
カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝５／９５（ｐＨ５．６）
流速：１．０ｍｌ／ｍｉｎ
カラム温度：室温
検出波長：ＵＶ２１０ｎｍ
サンプル：ペプチド（１），（２），（３），（４）
図１８では、ペプチド（１）は０．７５分、ペプチド（２）は１．２０分、ペプチド（３）は１．３０分、ペプチド（４）は３．１５分で溶出された。
カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝１０／９０（ｐＨ５．９）
流速：１．０ｍｌ／ｍｉｎ
カラム温度：室温
検出波長：ＵＶ２１０ｎｍ
サンプル：ペプチド（１），（２），（３），（４）
図１９では、ペプチド（１）は０．４０分、ペプチド（２）は０．７０分、ペプチド（３）は０．７０分、ペプチド（４）は１．７０分で溶出された。
カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝３０／７０（ｐＨ６．５）
流速：１．０ｍｌ／ｍｉｎ
カラム温度：室温
検出波長：ＵＶ２１０ｎｍ
サンプル：ペプチド（１），（２），（３），（４）
図２０では、ペプチド（１）は０．４０分、ペプチド（２）は０．５５分、ペプチド（３）は０．５５分、ペプチド（４）は１．０５分で溶出された。
カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝５８／４２（ｐＨ７．０）
流速：１．０ｍｌ／ｍｉｎ
カラム温度：室温
検出波長：ＵＶ２１０ｎｍ
サンプル：ペプチド（１），（２），（３），（４）
図２１では、ペプチド（５）は０．４５分、ペプチド（６）は０．６０分で溶出された。
カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝５／９５（ｐＨ５．６）
流速：１．０ｍｌ／ｍｉｎ
カラム温度：室温
検出波長：ＵＶ２１０ｎｍ
サンプル：ペプチド（５），（６）
図２２では、ペプチド（５）は０．４０分、ペプチド（６）は０．５０分で溶出された。
カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝１０／９０（ｐＨ５．９）
流速：１．０ｍｌ／ｍｉｎ
カラム温度：室温
検出波長：ＵＶ２１０ｎｍ
サンプル：ペプチド（５），（６）
図２３では、ペプチド（５）は０．３５分、ペプチド（６）は０．４５分で溶出された。
カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝３０／７０（ｐＨ６．５）
流速：１．０ｍｌ／ｍｉｎ
カラム温度：室温
検出波長：ＵＶ２１０ｎｍ
サンプル：ペプチド（５），（６）
図２４では、ペプチド（５）は０．３５分、ペプチド（６）は０．４０分で溶出された。  カラム：Ｔｉｔａｎｓｐｈｅｒｅ（登録商標）ＴｉＯ（１０×４．０ｍｍＩ．Ｄ．）
溶離液：０．１Ｍリン酸水素二カリウム／０．１Ｍリン酸二水素カリウム＝５８／４２（ｐＨ７．０）
流速：１．０ｍｌ／ｍｉｎ
カラム温度：室温
検出波長：ＵＶ２１０ｎｍ
サンプル：ペプチド（５），（６）
これらの結果から、ｐＨが５．６〜７．０の０．１Ｍリン酸バッファーがリン酸化ペプチドを酸化チタンカラム（Ｔｉｔａｎｓｐｈｅｒｅ（登録商標）ＴｉＯ）から溶出させる溶媒に適することが示唆された。  また、０．１Ｍリン酸バッファーを酸化チタンカラム（Ｔｉｔａｎｓｐｈｅｒｅ（登録商標）ＴｉＯ）に溶離液として流した状態では、アミノ酸配列が同じペプチドに関してはバッファーのｐＨが低いほど溶出が遅く、また結合しているリン酸の数が多いほど早く溶出されるという事が分かった。
＜実施例６＞酸化チタンカラムをプレカラムとしたカラムスイッチングシステムを応用して、リン酸化ペプチドを選択的に抽出・分析する為の逆相系ＨＰＬＣシステムを構築し、ペプチド（１）〜（６）を用いて分析を行った。ＬＣシステム概要を図２５に示す。分析に用いた溶離液条件は表１に示す。表１の溶離液条件によるベースラインを図２６に示す。ペプチド（１）〜（６）の分析結果を図２７〜３２に示す。
【表１】
2003065031.tif 000003
図２５では、酸化チタンカラムはＴｉｔａｎｓｐｈｅｒｅ（登録商標）ＴｉＯ（１０ｘ４．６ｍｍＩ．Ｄ．、ジーエルサイエンス製）を、逆相系ＨＰＬＣカラムはＩｎｅｒｔｓｉｌ（登録商標）ＷＰ３００Ｃ８（１５０×４．６ｍｍＩ．Ｄ．、ジーエルサイエンス製）を用いた。溶媒はトリフルオロ酢酸０．１％を含む水、トリフルオロ酢酸０．１％を含むアセトニトリルと、ｐＨ７．０の０．１Ｍリン酸バッファーを用いた。カラムと溶媒以外のＨＰＬＣシステムは＜実施例１＞と同様とした。Ｔｉｔａｎｓｐｈｅｒｅ（登録商標）ＴｉＯをプレカラムとして直結したＩｎｅｒｔｓｉｌ（登録商標）ＷＰ３００Ｃ８を使うときは、スイッチングバルブの流路は白、Ｉｎｅｒｔｓｉｌ（登録商標）ＷＰ３００Ｃ８のみを使うときはスイッチングバルブの流路は黒とした。
図２６では、先ずスイッチングバルブの流路を白にしておく。０分で注入されるサンプルのうち、リン酸化ペプチドをＴｉｔａｎｓｐｈｅｒｅ（登録商標）ＴｉＯに保持し、Ｔｉｔａｎｓｐｈｅｒｅ（登録商標）ＴｉＯを素通りするペプチドをＩｎｅｒｔｓｉｌ（登録商標）ＷＰ３００Ｃ８に保持するために、０〜４．９分でＴｉｔａｎｓｐｈｅｒｅ（登録商標）ＴｉＯとＩｎｅｒｔｓｉｌ（登録商標）ＷＰ３００Ｃ８にトリフルオロ酢酸を０．１％含む水を流す。ここでＩｎｅｒｔｓｉｌ（登録商標）ＷＰ３００Ｃ８に保持されたペプチドを溶出するため、スイッチングバルブの流路を黒にし、５〜２０分でＩｎｅｒｔｓｉｌ（登録商標）ＷＰ３００Ｃ８にトリフルオロ酢酸を０．１％含むアセトニトリルの比率が４５％になる勾配をかける。Ｉｎｅｒｔｓｉｌ（登録商標）ＷＰ３００Ｃ８の洗浄のため、２０〜２５分でＩｎｅｒｔｓｉｌ（登録商標）ＷＰ３００Ｃ８にトリフルオロ酢酸を０．１％含むアセトニトリルの比率が１００％になる勾配をかけ、さらに２５〜３０分でＩｎｅｒｔｓｉｌ（登録商標）ＷＰ３００Ｃ８にトリフルオロ酢酸を０．１％含むアセトニトリルを流す。Ｉｎｅｒｔｓｉｌ（登録商標）ＷＰ３００Ｃ８内から有機溶媒を除くため、３０．１〜３９．９分でＩｎｅｒｔｓｉｌ（登録商標）ＷＰ３００Ｃ８にトリフルオロ酢酸を０．１％含む水を流す。Ｔｉｔａｎｓｐｈｅｒｅ（登録商標）ＴｉＯからリン酸化ペプチドを溶出し、Ｉｎｅｒｔｓｉｌ（登録商標）ＷＰ３００Ｃ８に保持するため、スイッチングバルブの流路を白にし、４０〜５９．９分でＴｉｔａｎｓｐｈｅｒｅ（登録商標）ＴｉＯとＩｎｅｒｔｓｉｌ（登録商標）ＷＰ３００Ｃ８にｐＨ７．０の０．１Ｍリン酸バッファーを流す。Ｉｎｅｒｔｓｉｌ（登録商標）ＷＰ３００Ｃ８内からリン酸バッファーを除くため、スイッチングバルブの流路を黒にし、６０〜７０分でＩｎｅｒｔｓｉｌＷＰ３００Ｃ８にトリフルオロ酢酸を０．１％含む水を流す。Ｉｎｅｒｔｓｉｌ（登録商標）ＷＰ３００Ｃ８に保持されたリン酸化ペプチドを溶出するため、７０〜８５分でＩｎｅｒｔｓｉｌ（登録商標）ＷＰ３００Ｃ８にトリフルオロ酢酸を０．１％含むアセトニトリルの比率が４５％になる勾配をかける。Ｉｎｅｒｔｓｉｌ（登録商標）ＷＰ３００Ｃ８の洗浄のため、８５〜９０分でＩｎｅｒｔｓｉｌ（登録商標）ＷＰ３００Ｃ８にトリフルオロ酢酸を０．１％含むアセトニトリルの比率が１００％になる勾配をかけ、さらに９０〜９５分でＩｎｅｒｔｓｉｌ（登録商標）ＷＰ３００Ｃ８にトリフルオロ酢酸を０．１％含むアセトニトリルを流す。Ｉｎｅｒｔｓｉｌ（登録商標）ＷＰ３００Ｃ８内から有機溶媒を除くため、９５．１〜１０５分でＩｎｅｒｔｓｉｌ（登録商標）ＷＰ３００Ｃ８にトリフルオロ酢酸を０．１％含む水を流す。
カラム：ａ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：表１参照
流速：１．０ｍｌ／ｍｉｎ
カラム温度：室温
検出波長：ＵＶ２１０ｎｍ
サンプル：無し
図２７では、リン酸化ペプチド（１）は酸化チタンカラムに保持・溶出された後、逆相系ＨＰＬＣカラムに保持・溶出されている。
カラム：ａ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：表１参照
流速：１．０ｍｌ／ｍｉｎ
カラム温度：室温
検出波長：ＵＶ２１０ｎｍ
サンプル：ペプチド（１）
図２８では、リン酸化ペプチド（２）は酸化チタンカラムに保持・溶出された後、逆相系ＨＰＬＣカラムに保持・溶出されている。
カラム：ａ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：表１参照
流速：１．０ｍｌ／ｍｉｎ
カラム温度：室温
検出波長：ＵＶ２１０ｎｍ
サンプル：ペプチド（２）
図２９では、リン酸化ペプチド（３）は酸化チタンカラムに保持・溶出された後、逆相系ＨＰＬＣカラムに保持・溶出されている。
カラム：ａ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：表１参照
流速：１．０ｍｌ／ｍｉｎ
カラム温度：室温
検出波長：ＵＶ２１０ｎｍ
サンプル：ペプチド（３）
図３０では、ペプチド（４）は酸化チタンカラムに保持されず、逆相系ＨＰＬＣカラムに保持・溶出されている。
カラム：ａ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：表１参照
流速：１．０ｍｌ／ｍｉｎ
カラム温度：室温
検出波長：ＵＶ２１０ｎｍ
サンプル：ペプチド（４）
図３１では、リン酸化ペプチド（５）は酸化チタンカラムに保持・溶出された後、逆相系ＨＰＬＣカラムに保持・溶出されている。
カラム：ａ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：表１参照
流速：１．０ｍｌ／ｍｉｎ
カラム温度：室温
検出波長：ＵＶ２１０ｎｍ
サンプル：ペプチド（５）
図３２では、ペプチド（６）は酸化チタンカラムに保持されず、逆相系ＨＰＬＣカラムに保持・溶出されている。
カラム：ａ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→Ｉｎｅｒｔｓｉｌ（登録商標）ＷＰ３００Ｃ８（１５０×４．６ｍｍＩ．Ｄ．）
溶離液：表１参照
流速：１．０ｍｌ／ｍｉｎ
カラム温度：室温
検出波長：ＵＶ２１０ｎｍ
サンプル：ペプチド（６）
これらの結果から、構築したＨＰＬＣシステムを用いて、オンラインでリン酸化ペプチドを選択的に抽出・分析できることがわかった。
＜実施例７＞ミルク等に含まれるリン酸化タンパク質であるカゼインのトリプシン消化物をサンプルとして、それぞれ逆相系ＨＰＬＣカラム（Ｉｎｅｒｔｓｉｌ（登録商標）ＷＰ３００Ｃ８）、酸化チタンカラム（Ｔｉｔａｎｓｐｈｅｒｅ  ＴｉＯ）をプレカラムとしたＩｎｅｒｔｓｉｌ（登録商標）ＷＰ３００Ｃ８で、トリフルオロ酢酸０．１％を含む水１００％からトリフルオロ酢酸０．１％を含むアセトニトリルの割合を４５％まで増やす条件でＨＰＬＣ分析した。用いたＨＰＬＣ分析システムは＜実施例１＞と同様とした。
次に、酸化チタンカラム（Ｔｉｔａｎｓｐｈｅｒｅ（登録商標）ＴｉＯ）にトリフルオロ酢酸０．１％を含む水を単一溶媒として流した状態でカゼインのトリプシン消化物を注入した後、０．０５Ｍ塩化リチウムを含む０．０５Ｍホウ酸バッファー（ｐＨ８．０）を流して酸化チタンカラム（Ｔｉｔａｎｓｐｈｅｒｅ（登録商標）ＴｉＯ）からペプチドを溶出し、これを分取した。分取に用いたＨＰＬＣシステム概要を図３３に示す。分取したペプチドを逆相系ＨＰＬＣカラム（Ｉｎｅｒｔｓｉｌ（登録商標）ＷＰ３００Ｃ８）で、トリフルオロ酢酸０．１％を含む水１００％からトリフルオロ酢酸０．１％を含むアセトニトリルの割合を４５％まで増やす条件でＨＰＬＣ分析した。用いたＨＰＬＣ分析システムは＜実施例１＞と同様とした。またここまでの分析結果を図３４に示す。
カラム：ａとｃ：Ｉｎｅｒｔｓｉｌ（登録商標）ＷＰ３００Ｃ８（１５０×４．６ｍｍＩ．Ｄ．）
ｂ：Ｔｉｔａｎｓｐｈｅｒｅ（登録商標）ＴｉＯ（１０×４．０ｍｍＩ．Ｄ．）→ＷＰ３００Ｃ８（１５０×４．６ｍｍＩ．Ｄ．）
溶離液：Ａ：水（０．１％トリフルオロ酢酸）
Ｂ：アセトニトル（０．１％トリフルオロ酢酸）
Ａ／Ｂ＝１００／０（０ｍｉｎ）→５５／４５（９０ｍｉｎ）
流速：１．０ｍｌ／ｍｉｎ
カラム温度：室温
検出波長：ＵＶ２１０ｎｍ
サンプル：ａとｂ：カゼイントリプシン消化物
ｃ：酸化チタンカラムに保持・溶出されたカゼイントリプシン消化物中のペプチド
また分取したペプチドがリン酸化ペプチドであることを示すため以下の実験を行った。分取したペプチドを二つの容器に分け、一方を対照とし、一方をアルカリフォスファターゼを用いて脱リン酸処理した。それぞれを逆相系ＨＰＬＣカラム（Ｉｎｅｒｔｓｉｌ（登録商標）ＷＰ３００Ｃ８）で、トリフルオロ酢酸０．１％を含む水１００％からトリフルオロ酢酸０．１％を含むアセトニトリルの割合を４５％まで増やす条件でＨＰＬＣ分析し、２つのデータを比べ、アルカリフォスファターゼ処理によりピークがシフトしたことを確認した。用いたＨＰＬＣ分析システムは＜実施例１＞と同様とした。分析結果を図３５に示す。
カラム：ａとｂ：Ｉｎｅｒｔｓｉｌ（登録商標）ＷＰ３００Ｃ８（１５０×４．６ｍｍＩ．Ｄ．）
溶離液：Ａ：水（０．１％トリフルオロ酢酸）
Ｂ：アセトニトル（０．１％トリフルオロ酢酸）
Ａ／Ｂ＝１００／０（０ｍｉｎ）→５５／４５（９０ｍｉｎ）
流速：１．０ｍｌ／ｍｉｎ
カラム温度：室温
検出波長：ＵＶ２１０ｎｍ
サンプル：ａ：酸化チタンカラムに保持・溶出されたカゼイントリプシン消化物中のペプチド（アルカリフォスファターゼ処理の対照）
ｂ：ａのサンプルをアルカリフォスファターゼ処理したもの
更に分取したペプチドがリン酸化ペプチドであることを示すため、以下の実験を行った。カゼイントリプシン消化物を２つの容器に分け、一方を対照とし、一方をアリカリフォスファターゼを用いて脱リン酸処理した。夫々を逆相系ＨＰＬＣカラム（Ｉｎｅｒｔｓｉｌ（登録商標）ＷＰ３００Ｃ８）で、トリフルオロ酢酸０．１％を含む水１００％からトリフルオロ酢酸０．１％を含むアセトニトリルの割合を４５％まで増やす条件でＨＰＬＣ分析し、２つのデータを比べ、アルカリフォスファターゼ処理により３つのピークがシフトしたことを確認した。用いたＨＰＬＣ分析システムは＜実施例１＞と同様とした。分析結果を図３６に示す。
カラム：ａとｂとｃ：Ｉｎｅｒｔｓｉｌ（登録商標）ＷＰ３００Ｃ８（１５０×４．６ｍｍＩ．Ｄ．）
溶離液：Ａ：水（０．１％トリフルオロ酢酸）
Ｂ：アセトニトル（０．１％トリフルオロ酢酸）
Ａ／Ｂ＝１００／０（０ｍｉｎ）→５５／４５（９０ｍｉｎ）
流速：１．０ｍｌ／ｍｉｎ
カラム温度：室温
検出波長：ＵＶ２１０ｎｍ
サンプル：ａ：カゼイントリプシン消化物（アルカリフォスファターゼ処理の対照）
ｂ：カゼイントリプシン消化物をアルカリフォスファターゼ処理したもの
ｃ：酸化チタンカラムに保持・溶出されたカゼイントリプシン消化物中のペプシド
図３３では、酸化チタンカラムはＴｉｔａｎｓｐｈｅｒｅ（登録商標）ＴｉＯ（１０ｘ４．６ｍｍＩ．Ｄ．、ジーエルサイエンス製）を用いた。溶媒はトリフルオロ酢酸０．１％を含む水と、０．０５Ｍ塩化リチウムを含む０．０５Ｍホウ酸−水酸化ナトリウムバッファー（ｐＨ８．０）を用いた。ＨＰＬＣシステムとして、ポンプ３１にＨＩＴＡＣＨＩ  Ｐｕｍｐ  Ｌ−７１２０、ポンプ３２にＨＩＴＡＣＨＩ  Ｐｕｍｐ  Ｌ−７１００、検出器ＨＩＴＡＣＨＩ  Ｄｉｏｄｅ  Ａｒｒａｙ  Ｄｅｔｅｃｔｏｒ  Ｌ−７４５５、データ処理機ＨＩＴＡＣＨＩ  ＳＹＳＴＥＭ  ＭＡＮＡＧＥＲ（以上、ＨＩＴＡＣＨＩ製）、インジェクターＲＨＥＯＤＹＮＥ８１２５（レオダイン社製）、スイッチングバルブＳＳＣ  Ｅ１Ｅ０１０（センシュー科学社製）を用いた。サンプルループ及び配管にはすべてピーク材を用いた。Ｔｉｔａｎｓｐｈｅｒｅ（登録商標）ＴｉＯにトリフルオロ酢酸０．１％を含む水を単一溶媒として流すときには、スイッチングバルブの流路は白とし、０．０５Ｍリチウムクロライドを含む０．０５Ｍホウ酸バッファー（ｐＨ８．０）を流してＴｉｔａｎｓｐｈｅｒｅ（登録商標）ＴｉＯからペプチドを溶出し、これを分取するときにはスイッチングバルブの流路は黒とした。
図３４では、カゼインのトリプシン消化物のうち、Ｔｉｔａｎｓｐｈｅｒｅ（登録商標）ＴｉＯをプレカラムとした場合では、矢印で示したピークの強度が減少した。また０．０５Ｍ塩化リチウムを含む０．０５Ｍホウ酸バッファー（ｐＨ８．０）でＴｉｔａｎｓｐｈｅｒｅ（登録商標）ＴｉＯから溶出されたペプチドは、強度が減少したピークと一致した。
図３５では、Ｔｉｔａｎｓｐｈｅｒｅ（登録商標）ＴｉＯに保持・溶出されたカゼイントリプシン消化物中のペプチドのうち３つはアルカリフォスファターゼ処理によって疎水性が増し、そのピークがシフトしている。
図３６ではカゼイントリプシン消化物をアルカリフォスファターゼ処理したことでシフトしたピークは、Ｔｉｔａｎｓｐｈｅｒｅ（登録商標）ＴｉＯに保持・溶出されたカゼイントリプシン消化物中のペプチドのピークと略一致している。
これらの結果から、カゼイントリプシン消化物中のペプチドのうち、リン酸化ペプチドと思われるペプチドは酸化チタンカラム（Ｔｉｔａｎｓｐｈｅｒｅ（登録商標）ＴｉＯ）に選択的に保持され、０．０５Ｍ塩化リチウムを含む０．０５Ｍホウ酸バッファー（ｐＨ８．０）で溶出されたことがわかった。
＜実施例８＞酸化チタンを固相に用いた例として、以下のような形状のカラムが挙げられる。
ここで述べるカラムとは充填剤を詰める、内壁に固定相をコーティングする、内壁に化学結合基を導入する、もしくは腐食させるなどの処理を行い、カラムクロマトグラフィーで分離の場となり得る状態にしたクロマト管の事である。その形態は特に限定する物ではなく２つの開放口を有する容器であり内部に固相が充填もしくは保持され、溶液がその開放口の一方から入り固相を通り他の開放口から出るような構造を有していれば良い。したがって、一般的なＬＣカラムのみならず図３７乃至図３９に示すような固相抽出用カラムの形態でも良い。
（固相の形態の説明）
ここで述べる固相とはクロマトグラフィーにおける移動相に対する語であり、物質に対する親和性を有し、移動しない相のことである。その形態としては特に限定するものではなく、目的とする成分を含む溶液と酸化チタンが接触できれば良い。したがってその形態としては、酸化チタンからなる多孔質球状粒子、多孔質破砕状粒子、非多孔質球状粒子、非多孔質破砕状粒子、貫通孔を有する立体連続体、及び酸化チタンと他の金属酸化物との複合酸化物からなる多孔質球状粒子、多孔質破砕状粒子、非多孔質球状粒子、非多孔質破砕状粒子、貫通孔を有する立体連続体でも良く、また、酸化チタン以外の材質による多孔質球状粒子、多孔質破砕状粒子、非多孔質球状粒子、非多孔質破砕状粒子、貫通孔を有する立体連続体の溶液との接触面に酸化チタンをコーティングしたものでも良い。ここで述べる貫通孔を有する立体連続体とはある成分もしくは複数の成分からなり、ある一面から他の面へと貫通する空洞を有する立体であり、一例としてモノリス骨格が挙げられる。モノリス骨格とは、０．５〜５００μｍサイズの細孔（スルーポア）と、２〜５００ｎｍサイズの細孔（メソポア）を有する酸化チタン骨格、ポリマー骨格が絡み合った構造を持つ２重細孔構造の酸化チタンを形成して成るものである（例えば曽我直弘、中西和樹、水口博義；特開平１１−２８７７９１）。
（使用方法の説明）
例えば、トリプシン等の消化酵素によるタンパク質の加水分解物をトリフルオロ酢酸を０．１％含む水に溶かし、固相に注入あるいは吸引等の方法で接触させ、リン酸化ペプチドを選択的に保持させる。固相をトリフルオロ酢酸を０．１％含む水で、注入あるいは吸引等の方法で洗浄した後、ｐＨ７．０の０．１Ｍリン酸バッファーを固相に注入あるいは吸引等の方法で接触させ、リン酸化ペプチドを溶出する（リン酸化ペプチドを固相に選択的に保持させる溶媒、固相を洗浄する溶媒、固相からリン酸化ペプチドを溶出する溶媒は上記の例に限定するものではなく、＜実施例１〜７＞で用いられた溶媒も含まれる。）。
溶出したリン酸化ペプチドは、逆相系の固相に保持させ、脱塩を行い、有機溶媒で溶出する。溶出したペプチドはＭＳ等の分析機器で定性・定量する。尚、脱塩操作のいらない溶媒（例えばリン酸など）で溶出した場合は、ＭＡＬＤＩプレートなどを使用して直接ＭＳ等で検出することも可能である。
尚、以下のようなタンパク質についても本法は充分適用可と思われる。
ＪＡＫ（Ｊａｎｕｓ  Ｋｉｎａｓｅ）ファミリープロテイン、ＳＴＡＴ（ｓｉｇｎａｌ  Ｔｒａｎｓｄｕｃｅｒ  ａｎｄ  ａｃｔｉｖａｔｉｏｒ  ｏｆ  ｔｒａｎｓｃｒｉｐｔｉｏｎ）ファミリープロテイン、ＴＧＦ−β（ｔｒａｎｓｆｏｒｍｉｎｇ  ｇｒｏｗｔｈ  ｆａｃｔｏｒ  β）ファミリープロテイン、Ｓｍａｄファミリープロテイン、その他リン酸化にて活性化或いは不活性化されるシグナル伝達因子。
次いで、リン酸化糖、リン脂質のいずれについても実験の結果、リン酸化合物と非リン酸化合物を酸性条件でチタニアカラムにアプライし、素通り分画を採取、各分析カラムで分析し、予め取っておいたリン酸化合物と非リン酸化合物の混合物のデータと比較することでリン酸化合物のみがチタニアカラムに保持されて素通りしていないことを確認した。
次に、リン酸化合物が保持された状態のチタニアカラムにリン酸根を含む溶出溶媒を流し、この分画を採取、各分析カラムで分析し、上記と同様に混合物のデータと比較することでリン酸化合物が溶出されることが確認された。
先ず、糖についての実験では、単糖のグルコースにリン酸基が一つ付いたもの（２種類）とグルコースを比較した。始めに実施例１に於いて、リン酸化ペプチドを保持させた条件（ＴＦＡ／Ｈ２Ｏ＝１／１０００ｐＨ２程度）で糖混合物をアプライしたが、リン酸化糖と非リン酸化糖の両方が素通りしてしまった。そこで、条件をＨＣＩ水溶液（ｐＨ０．８８）に変えたところ、リン酸化糖だけを保持させることが出来た。又、溶出は０．０５Ｍ  ＮａＨ２ＰＯ４（ｐＨ４．５程度）で可能であった。今回用いたリン酸化糖のｐＫ１は１．１１であることから、保持に用いる溶液がそれより下のｐＨでなければ選択的に保持することは出来ないと考える。この時、糖に付いたリン酸基は、解離が抑えられＯＨが二つになっているはずである。溶出条件は特にｐＨが７付近でなくとも可能、又ペプチドの実験の際用いたリン酸カリウムバッファーでなくとも良い可能性が示された。
リン酸化ペプチドはｐＨ７．０程度の２０ｍＭＴｒｉｓ−ＨＣＩバッファーでは、ｐＨ２．０程度の０．１％ＴＦＡ水溶液を用いた場合に比べて保持されるペプチドの数が少なかった。又、リン酸化糖（ｐＫ１＝１．１１）はｐＨ２．０程度の０．１％ＴＦＡ水溶液では酸化チタンカラムに保持されなかったが、ｐＨ０．８程度のＨＣＩ水溶液で保持された。
これらのことからリン酸化合物の保持については、リン酸化化合物のリン酸部分の解離を抑えた状態が必要である。
酸化チタンカラムからの溶出については、各実験から、溶出中のリン酸濃度とｐＨが上がるほど、溶出効果が早まる。
＜実施例９＞試料として下記を使用する。
（１）Ｄ（＋）−グルコース  キシダ化学  ０００−３４１０５
Ｄ（＋）−Ｇｌｕｃｏｓｅ  ＦＷ：１８０．１６  １３．６ｍｇ／５００μｌＨ２Ｏを４０μｌ
試料の一例、化学式を示す
2003065031.tif 000004
（２）α−Ｄ−グルコース−１−リン酸  Ｓｉｇｍａ  Ｇ７０００
α−Ｄ−Ｇｌｕｃｏｓｅ  １−ｐｈｏｓｐｈａｔｅ  Ｄｉｓｏｄｉｕｍ  Ｓａｌｔ  Ｈｙｄｒａｔｅ  ＦＷ：３０４．１  ２０．２ｍｇ／３００μｌＨ２Ｏを４０μｌ
試料の一例化学式を示す
2003065031.tif 000005
（３）Ｄ−グルコース−６−リン酸  Ｓｉｇｍａ  Ｇ７２５０
Ｄ−Ｇｌｕｃｏｓｅ  ６−ｐｈｏｓｐｈａｔｅ  Ｄｉｏｄｉｕｎ  Ｓａｌｔ  Ｈｙｄｒａｔｅ  ＦＷ：３０４．１  ２１．１ｍｇ／３００μｌＨ２Ｏを４０μｌ
試料の一例化学式を示す
2003065031.tif 000006
上記（１）〜（３）を混合
実験手順：
Ｔｉｔａｎｓｐｈｅｒｅ（登録商標）ＴｉＯ（１０×４．０ｍｍＩ．Ｄ）にＨＣｌ水溶液（ｐＨ０．８８）を流した状態で混合したサンプルのうち、４０μｌをアプライし、素通り画分を分取する。この画分を１とする。
溶媒を５０ｍＭ  ＮａＨ２ＰＯ４に切換え、Ｔｉｔａｎｓｐｈｅｒｅ（登録商標）ＴｉＯからの溶出画分を分取する。この画分を２〜５とする。（図４１は各分取画分の位置を示すクロマトグラム）
イオン交換モードのカラム、Ａｓａｈｉｐａｋ（登録商標）ＮＨ２Ｐ−５０  ４Ｅを用いて分取画分のクロマトグラムを取る。混合したサンプルのクロマトグラムと比較し、Ｔｉｔａｎｓｐｈｅｒｅ（登録商標）ＴｉＯを用いることで今回サンプルとしたリン酸化糖を選択的に抽出できることを示す。
カラム：Ｔｉｔａｎｓｐｈｅｒｅ（登録商標）ＴｉＯ（１０×４．０ｍｍＩ．Ｄ）
溶離液：Ａ．希塩酸（ｐＨ０．８８）
Ｂ．５０ｍＭ  ＮａＨ２ＰＯ４（ｐＨ約４．０）
０〜３ｍｉｎ  Ａ／Ｂ＝１００／０
３．１〜１２ｍｉｎ  Ａ／Ｂ＝０／１００
流速：１．０ｍｌ／ｍｉｎ  カラム温度：室温
検出波長：ＵＶ２６０ｎｍ
サンプル：調整した糖混合物（１）（２）（３）を４０μｌ
図４２に於いて、標品混合物で確認されている２種のリン酸化糖が２〜５の画分に確認されているので、この分離方法がリン酸化糖の抽出分離に有効であることがわかる。
カラム：Ａｓａｈｉｐａｋ（登録商標）ＮＨ２Ｐ−５０  ４Ｅ（２５０×４．０ｍｍＩ．Ｄ）
溶離液：５０ｍＭ  ＮａＨ２ＰＯ４（ｐＨ約４．０）
流速：１．０ｍｌ／ｍｉｎ  カラム温度：室温
検出：ＲＩ
サンプル：上記の調整した糖混合物を２５μｌ
１〜５．各分取画分５０μｌずつ
尚、以下のような糖類関係物質についても本法は充分適用可能と思われる。
フルクトース６−リン酸、フルクトース１，６−ビスリン酸、Ｄ−グルコノ−１，５−ラクトンリン酸、６−ホスホ−Ｄ−グルコン酸、Ｄ−リプロース−５−リン酸、Ｄ−キシルロース−５−リン酸、Ｄ−リボース−５−リン酸、Ｄ−セドヘプツロース−７−リン酸、Ｄ−エリトロース−４−リン酸、ホスホグリコール酸、Ｄ−リブロース−５−リン酸、Ｄ−リブロース−１，５−ビスリン酸、セドヘプツロース−１，７−ビスリン酸、ＡＤＰグルコース、ＵＤＰグルコース、ＵＤＰグルクロン酸、１−ホスホ−α−Ｄ−グルクロン酸、Ｄ−キシルロース−５−リン酸、スクロース−６−リン酸。
水溶性低分子リン酸化合物についても同様である。
Ｄ−グリセルアルデヒド３−リン酸、ジヒドロキシアセトンリン酸、グルコサミン６リン酸、ｓｎ−グリセロール３−リン酸、１，３−ビスホスホグリセリン酸、２，３−ビスホスホグリセリン酸、３−ホスホグリセリン酸、２−ホスホグリセリン酸、ホスホエノールピルビン酸、ＧＭＰ、ＧＤＰ、ＧＴＰ、ＡＭＰ、ＡＤＰ、ＡＴＰ、ｃＡＭＰ、ＵＭＰ、ＵＤＰ、ＵＴＰ、ピロリン酸。
次に、脂質についての実験では、水溶性でないサンプルについても、有機溶媒にＴＦＡを添加しておけば選択的保持が起こるということと、有機溶媒にリン酸を添加しておけば、溶出可能ということが判明した。よって水溶性サンプルだけではなく、極性の低いリン酸化化合物についても選択的保持溶出の可能性を示せた。又、リン酸基が末端にあるものだけでなく、エステルであっても適用できる可能性を示せた。
例えば、スフィンゴミエリン（化６）はエステルの形でリン酸が付いているが、実験の結果選択的保持が確認できた。又、Ｌ−α−ホスファチジルイノシトール（化７）、Ｌ−α−ホスファチジルエタノールアミン（化８）、Ｌ−α−ホスファチジルコリン（化９）、Ｌ−α−ホスファチジル−Ｌ−セリン（化１０）、Ｌ−α−ホスファチジル−Ｌ−トレオニン（化１１）、Ｌ−α−ホスファチジン酸（化１２）の分離分析が可能である。
2003065031.tif 000007
2003065031.tif 000008
2003065031.tif 000009
＜実施例１０＞下記のサンプルを使用する
（１）Ｄ−ｅｒｙｔｈｒｏ−スフィンゴシン  Ｗａｋｏ  １９２−１１１６１  Ｄ−ｅｒｙｔｈｒｏ−Ｓｐｈｉｎｇｏｓｉｎｅ  ＦＷ：２９９．５  １．６ｍｇ／１０００μｌ  ＭｅＯＨを１００μｌ
2003065031.tif 000010
（２）スフィンゴシン−１−リン酸  Ｓｉｇｍａ  Ｓ９６６６
Ｓｐｈｉｎｇｏｓｉｎｅ  １−ｐｈｏｓｐｈａｔｅ  ＦＷ：３７９．５  １．０ｍｇ／１０００μｌ  ＭｅＯＨを１００μｌ
2003065031.tif 000011
上記（１）（２）を混合
実験手順：
Ｔｉｔａｎｓｐｈｅｒｅ（登録商標）ＴｉＯ（１０×４．０ｍｍＩ．Ｄ）にＨ２Ｏ（０．０５％ＴＦＡ）：ＭｅＯＨ＝３０：７０混合溶液を流した状態で、混合調整したサンプルのうち１６０μｌをアブライし、素通り画分を分取する。この画分を１、２とする。
溶媒をＨ２Ｏ：ＭｅＯＨ：Ｈ３ＰＯ４＝３０：７０：５に切換え、Ｔｉｔａｎｓｐｈｅｒｅ（登録商標）ＴｉＯからの溶出画分を分取する。この画分を３〜９とする。（図４３は各分取画分の位置を示すクロマトグラム）
カラム：Ｔｉｔａｎｓｐｈｅｒｅ（登録商標）ＴｉＯ（１０×４．０ｍｍＩ．Ｄ）
溶離液：Ａ：Ｈ２Ｏ（０．０５％ＴＦＡ）：ＭｅＯＨ＝３０：７０
Ｂ：Ｈ２Ｏ：ＭｅＯＨ：Ｈ３ＰＯ４＝３０：７０：５
０〜３．９ｍｉｎ  Ａ／Ｂ＝１００／０
４〜１８ｍｉｎ  Ａ／Ｂ＝０／１００
流速：１．０ｍｌ／ｍｉｎ  カラム温度：２５℃
検出波長：ＵＶ２０５ｎｍ
サンプル：調整した脂質混合物を１６０μｌ
Ｉｎｅｒｔｓｉｌ（登録商標）ＯＤＳ−３（４．６ｍｍＩ．Ｄ×１５０）を用いて各分取画分のクロマトグラムを取る。混合調整したサンプルのクロマトグラムと比較し、Ｔｉｔａｎｓｐｈｅｒｅ（登録商標）ＴｉＯを用いることで今回サンプルとしたリン脂質（Ｓｐｈｉｎｇｏｓｉｎｅ  １−ｐｈｏｓｐｈａｔｅ）を選択的に抽出できることを示す。
図４４は各分取画分の比較クロマトグラムであり、その際の実験データを下記に示す。
カラム：Ｉｎｅｒｔｓｉｌ（登録商標）ＯＤＳ−３（４．６ｍｍＩ．Ｄ×１５０）
溶離液：Ａ：Ｈ２Ｏ（０．０５％ＴＦＡ）
Ｂ：ＭｅＯＨ
０〜２ｍｉｎ  Ａ／Ｂ＝７０／３０
２〜１２ｍｉｎ  Ａ／Ｂ＝７０／３０→０／１００
１２〜１７ｍｉｎ  Ａ／Ｂ＝０／１００
１７．１〜２２ｍｉｎ  Ａ／Ｂ＝７０／３０
流速：１．０ｍｌ／ｍｉｎ  カラム温度：２５℃
検出波長：ＵＶ２０５ｎｍ
サンプル：上記の調整した脂質混合物を１０μｌ
１〜１０．各分取画分２００μｌずつ
図４５，４６，４７は上記の詳細クロマトグラムである。
これによりスフィンゴシン１リン酸の抽出が判然としていることが明示されている。
＜実施例１１＞下記のサンプルを使用する
（１）Ｄ−ｅｒｙｔｈｒｏ−スフィンゴシン  Ｗａｋｏ  １９２−１１１６１
Ｄ−ｅｒｙｔｈｒｏ−Ｓｐｈｉｎｇｏｓｉｎｅ  ＦＷ：２９９．５
１．８ｍｇ／５００μｌ  ＭｅＯＨを４０μｌ
（２）スフィンゴミエリン  Ｓｉｇｍａ  Ｓ９６６６
Ｓｐｈｉｎｇｏｍｙｅｌｉｎ（脂肪酸残基側鎖のためＦＷ不足）
１．８ｍｇ／５００μｌ  ＭｅＯＨを４０μｌ
上記（１）（２）を混合
実験手順：
Ｔｉｔａｎｓｐｈｅｒｅ（登録商標）ＴｉＯ（１０×４．０ｍｍＩ．Ｄ）にＨ２Ｏ（０．１％ＴＦＡ）：ＣＨ３ＣＮ：ＭｅＯＨ＝８：８２：１０混合溶液を流した状態で、混合調整したサンプルのうち５０μｌをアプライし、素通り画分を分取する。この画分を１、２とする。
溶媒をＨ２Ｏ：ＣＨ３ＣＮ：ＭｅＯＨ：Ｈ３ＰＯ４＝８：８２：１０：０．６に切換え、Ｔｉｔａｎｓｐｈｅｒｅ（登録商標）ＴｉＯからの溶出画分を分取する。この画分を３〜１０とする。（図４８は各分取画分の位置を示すクロマトグラム）
カラム：Ｔｉｔａｎｓｐｈｅｒｅ（登録商標）ＴｉＯ（１０×４．０ｍｍＩ．Ｄ）
溶離液：Ａ：Ｈ２Ｏ（０．１％ＴＦＡ）：ＣＨ３ＣＮ：ＭｅＯＨ＝８：８２：１０
Ｂ：Ｈ２Ｏ：ＣＨ３ＣＮ：ＭｅＯＨ：Ｈ３ＰＯ４＝８：８２：１０：０．６
０〜２．９ｍｉｎ  Ａ／Ｂ＝１００／０
３〜２０ｍｉｎ  Ａ／Ｂ＝０／１００
流速：１．０ｍｌ／ｍｉｎ  カラム温度：室温
検出波長：ＵＶ２１０ｎｍ
サンプル：調整した脂質混合物を５０μｌ
Ｉｎｅｒｔｓｉｌ（登録商標）ＮＨ２（４．６ｍｍＩ．Ｄ×１５０）を用いて各分取画分のクロマトグラムを取る。混合調整したサンプルのクロマトグラムと比較し、Ｔｉｔａｎｓｐｈｅｒｅ（登録商標）ＴｉＯを用いることで今回サンプルとしたリン脂質（スフィゴミエリン）を選択的に抽出できることを示す。
図４９は各分取画分の比較クロマトグラムであり、その際の実験データを下記に示す。
カラム：Ｉｎｅｒｔｓｉｌ（登録商標）ＮＨ２（４．６ｍｍＩ．Ｄ×１５０）
溶離液：Ａ：Ｈ２Ｏ：ＣＨ３ＣＮ：ＭｅＯＨ＝８：８７：５
流速：１．０ｍｌ／ｍｉｎ  カラム温度：室温
検出波長：ＵＶ２０５ｎｍ
サンプル：上記の調整した脂質混合物を溶離液で６６倍希釈したもの５０μｌ
１〜１０．各分取画分５０μｌずつ
図５０，５１は上記の詳細クロマトグラムである。
これによりスフィンゴミエリンの抽出が判然としていることが明示されている。
尚、以下のようなリン脂質関係物質についても本法は充分適用可と思われる。
グリセロリン脂質類（例えばホスファチジルイノシトール等）、スフィンゴリン脂質類、トリオースリン酸。
又、以下のような生体代謝関連物質について、その物性から本法は充分適用可と思われる。
ＣｏＡ（補酵素Ａ）、アセチルＣｏＡ、スクシニルＣｏＡ、アシルＣｏＡ、ＮＡＤ（Ｐ）＋、ＮＡＤ（Ｐ）Ｈ、ＮＡＤ＋、ＮＡＤＨ、ＦＡＤ、ＦＡＤＨ２、ＦＡＤＨ。
産業上の利用可能性
本発明請求項１によれば、リン酸化アミノ酸、リン酸化ペプチド、リン酸化タンパク質、リン酸化糖又はリン脂質を含む試料を酸化チタンカラムを前処理カラムとして使用して酸性雰囲気下で保持させるリン酸化合物の保持工程と、保持されなかったアミノ酸、ペプチド、タンパク質、糖又は脂質を所望のカラムにて分離・精製し、所望の検出器で検出する、或いはそれらを精製せず所望の検出器で検出する非リン酸化合物の検出工程、或いはそれらを分離・精製せず検出もしない工程と、次に前処理カラムに保持されたリン酸化アミノ酸、リン酸化ペプチド、リン酸化タンパク質、リン酸化糖又はリン脂質をリン酸塩、リン酸或いはアルカリを含む溶液により溶出させるリン酸化合物の溶出工程と、それらを所望のカラムにて分離・精製し、所望の検出器で検出する、或いはそれらを精製せず所望の検出器で検出するリン酸化合物の検出工程よりなるので、簡単迅速にリン酸化アミノ酸、リン酸化ペプチド、リン酸化タンパク質、リン酸化等、リン酸化脂質等のリン酸化物を選択的に抽出・分離することにより、学術、産業各分野におけるリン酸化アミノ酸、リン酸化ペプチド、リン酸化タンパク質、リン酸化糖、リン酸化脂質解析の速度の向上、実験操作の簡易化、危険性の防止等の効果をあげることが出来、産業上殊に食品、薬品工業に資する処大である。更には前処理カラムからの成分を廃棄することが出来る。その場合、該カラムからの溶出工程、当然検出工程をも省略でき、必要成分のみの工程とすることが出来、操作がより迅速簡易化できる。
本発明請求項２によれば、リン酸化アミノ酸、リン酸化ペフチド又はリン酸化タンパク質を含む試料をｐＨ２程度の酸性溶液を含む溶液で、酸化チタンカラムを前処理カラムとする逆相系ＨＰＬＣカラムに通し、プレカラムにリン酸化アミノ酸、リン酸化ペプチド又はリン酸化タンパク質を選択的に保持させ、前記カラムに保持されなかったリン酸化されないアミノ酸、ペプチド又はタンパク質を逆相系ＨＰＬＣカラムにて精製し、所望の検出器で検出する工程と、次ぎにプレカラムに保持したリン酸化アミノ酸、リン酸化ペプチド又はリン酸化タンパク質をバッファーにより溶出させる工程と、それらを検出する工程とよりなるので、リン酸化アミノ酸、リン酸化ペプチド又はリン酸化タンパク質を含む試料をこの工程に乗せることにより、リン酸化アミノ酸等を試料中から選り分けることが出来る。即ち、この一連の工程により、目的成分のリン酸化アミノ酸等をチタニアカラムのプレカラムに選択保持し、他の成分を溶出させて逆相系ＨＰＬＣカラムに送り、検出等の操作を為し、次いで目的成分を溶出させ、逆相系ＨＰＬＣカラムに保持させて検出等を為すことにより、極めて簡単な操作で従来の夾雑物質の除去や溶出成分の分取、その他の複雑で面倒な操作を必要とせず、目的成分のリン酸化アミノ酸、リン酸化ペプチド、リン酸化タンパク質を抽出、分離、精製、定性、定量等を行うことが出来る。
本発明請求項３によれば、リン酸化アミノ酸、リン酸化ペプチド、リン酸化タンパク質、リン酸化糖又はリン脂質を含む試料を酸化チタンカラムを前処理カラムとして使用して酸性雰囲気下で保持させた後、リン酸化合物の溶出工程にて溶出された化合物を検出工程に移行せず、分取して利用するので、選択的に抽出されたリン酸化アミノ酸、リン酸化ペプチド、リン酸化タンパク質、リン酸化糖又はリン脂質の検出工程を省き、より迅速にそれらを生化学実験のアッセイなどに用いることが出来る。
本発明請求項４によれば、リン酸化アミノ酸、リン酸化ペプチド、リン酸化タンパク質、リン酸化糖又はリン脂質を含む試料を酸化チタンカラムを前処理カラムとして使用して酸性雰囲気下で保持させるリン酸化合物の保持工程に於いて、ｐＨ０．５〜７．０の酸性溶液を含む溶液で酸化チタンカラムを前処理カラムとして使用して保持させ非リン酸化合物を検出する工程と、リン酸化合物の溶出工程に於いて１０ｍＭ以上２０００ｍＭ以下のリン酸塩、０．０６％以上のリン酸あるいはｐＨ７．０以上のアルカリを含む溶液により溶出させリン酸化合物を検出する工程よりなるので、簡便な操作と安価な試薬を用いることでリン酸化アミノ酸、リン酸化ペプチド、リン酸化タンパク質、リン酸化糖又はリン脂質を選択的に抽出・分離できる。
本発明請求項５によれば、リン酸化アミノ酸、リン酸化ペプチド、リン酸化タンパク質、リン酸化糖又はリン脂質を含む試料を酸化チタンカラムを前処理カラムとして使用して酸性雰囲気下で保持させる等のリン酸化合物の検出工程に於いて、リン酸化合物の分離・精製に逆相系固相を用い、所望の検出器のイオン化部がＭＡＬＤＩプレートであるＭＳとするので、夾雑のマトリクスや塩が混ざった状態ではイオン化し難いリン酸化アミノ酸、リン酸化ペプチド、リン酸化タンパク質、リン酸化糖又はリン脂質を、イオン化及びＭＳ測定し易い状態に出来る。
本発明請求項６によれば、リン酸化を含む試料を酸化チタンカラムを前処理カラムとして使用して酸性雰囲気下で保持させるリン酸化合物の保持工程に於いて、ｐＨ０．８程度の酸性溶液を含む溶液で保持させ、非リン酸化合物の検出工程に於いて分離・精製に陰イオン交換カラムを使用し、リン酸化合物の溶出工程に於いて５０ｍＭ以上のリン酸塩、１％以上のリン酸或いはｐＨ１１．２５以上のアルカリを含む溶液により溶出させ、リン酸化合物の検出工程に於いて分離・精製に陰イオン交換カラムを使用するので、簡便な操作と安価な試薬を用いることで抽出・分離したリン酸化糖を酸化チタンカラムと性質の異なるカラムを用いて分析して同定、更なる精製、定性又は定量できる。
本発明請求項７によれば、リン脂質を含む試料を酸化チタンカラムを前処理カラムとして使用して酸性雰囲気下で保持させるリン酸化合物の保持工程に於いて、ｐＨ２．０程度の酸性溶液を含む溶液で保持させ、非リン酸化合物の検出工程に於いて分離・精製に逆相系カラムを使用し、リン酸化合物の溶出工程に於いて０．６％以上のリン酸を含む溶液により溶出させ、リン酸化合物の検出工程に於いて分離・精製に逆相系カラムを使用するので、簡便な操作と安価な試薬を用いることで、抽出・分離したリン脂質を酸化チタンの性質の異なるカラムを用いて分析して同定、更なる精製、定性又は定量できる。
本発明請求項８によれば、リン酸化アミノ酸、リン酸化ペプチド、リン酸化タンパク質又はそれらを含む試料を酸化チタンカラムを前処理カラムとして使用して酸性雰囲気下で保持させるリン酸化合物の保持工程に於いて、ｐＨ２．０程度の酸性溶液を含む溶液で保持させ、非リン酸化合物の検出工程に於いて分離・精製に逆相系カラムを使用し、リン酸化合物の溶出工程に於いて、５０ｍＭ以上のリン酸塩、０．５％以上のリン酸或いはｐＨ１１．２５以上のアルカリを含む溶液により溶出させ、リン酸化合物の検出工程に於いて分離・精製に逆相系カラムを使用するので、簡便な操作と安価な試薬を用いることで、抽出・分離したリン酸化アミノ酸、リン酸化ペプチド、リン酸化タンパク質を酸化チタンカムと性質の異なるカラムを用いて分析して同定、更なる精製、定性又は定量できる。
本発明請求項９によれば、所望数の溶媒をポンプに選択自在に接続すると共に、該ポンプはインジェクターを介してスイッチングバルブを連結する一方、スイッチングバルブには酸化チタンカラム及び逆相系ＨＰＬＣカラムを接続して酸化チタンカラムを前処理カラムに設定自在とし、逆相系ＨＰＬＣカラムに検出器を接続するので、酸化チタンカラムに試料成分を通すことにより、目的成分のリン酸化アミノ酸、リン酸化ペプチド等の選択的保持を行い、次いで目的成分以外を逆相系ＨＰＬＣカラムにて保持させ、続いて検出操作に移行させ、目的成分をバッファーにより溶出させ逆相系ＨＰＬＣカラムに保持させ、続いて検出、同定操作を行なうので、目的成分の存在量の変化等のプロテオミクスに於ける細胞内の状態変化に応答するタンパク質の離散の程度の変化の追跡にも重要な装置である。
本発明請求項１０によれば、所望数の溶媒をポンプに選択自在に接続すると共に、該ポンプはインジェクターを介してスイッチングバルブを連結する一方、スイッチングバルブには酸化チタンカラム及び固相抽出カラムを接続して酸化チタンカラムを前処理カラムに設定自在とし、固相抽出カラムに検出器を接続するので、酸化チタンカラムに試料成分を通すことにより、目的成分のリン酸化アミノ酸、リン酸化ペプチド等の選択的保持を行ない、次いで目的成分以外を固相カラムにて保持させ、続いて検出操作に移行させ、目的成分をバッファーにより溶出させ固相カラムに保持させ、続いて検出、同定操作を行なうので、目的成分の存在量の変化等のプロテオミクスに於ける細胞内の状態変化に応答するタンパク質の離散の程度の変化の追跡にも重要な装置である。
【図面の簡単な説明】
図１は、本発明一実施装置の説明図であり、図２は、アナターゼ型及びルチル型酸化チタンのＸ線ピーク図であり、図３は、Ｔｉｔａｎｓｐｈｅｒｅ（登録商標）ＴｉＯ充填剤のＸ線ピーク図であり、図４は、ペプチド（１）のＨＰＬＣデータの比較図であり、図５は、ペプチド（２）のＨＰＬＣデータの比較図であり、図６は、ペプチド（３）のＨＰＬＣデータの比較図であり、図７は、ペプチド（４）のＨＰＬＣデータの比較図であり、図８は、ペプチド（５）のＨＰＬＣデータの比較図であり、図９であり、ペプチド（６）のＨＰＬＣデータの比較図であり、図１０は、本発明他実施装置の説明図であり、図１１は、ペプチド（５）の酸化チタンカラムからの溶出図であり、図１２は、ペプチド（５）の酸化チタンカラムからの溶出図であり、図１３は、酸化チタンからの溶出条件検討用装置の説明図であり、図１４は、ペプチド（５）の酸化チタンカラムからの溶出図であり、図１５は、ペプチド（５）の酸化チタンカラムからの溶出図であり、図１６は、ペプチド（５）の酸化チタンカラムからの溶出図であり、図１７は、リン酸バッファー（ｐＨ５．６）中のペプチド挙動図であり、図１８は、リン酸バッファー（ｐＨ５．９）中のペプチド挙動図であり、図１９は、リン酸バッファー（ｐＨ６．５）中のペプチド挙動図であり、図２０は、リン酸バッファー（ｐＨ７．０）中のペプチド挙動図であり、図２１は、リン酸バッファー（ｐＨ５．６）中のペプチド挙動図であり、図２２は、リン酸バッファー（ｐＨ５．９）中のペプチド挙動図であり、図２３は、リン酸バッファー（ｐＨ６．５）中のペプチド挙動図であり、図２４は、リン酸バッファー（ｐＨ７．０）中のペプチド挙動図であり、図２５は、リン酸化ペプチドの選択的分析用装置の説明図であり、図２６は、選択的分析に用いた溶離液のベースライン測定図であり、図２７は、リン酸化ペプチド（１）の選択的分析図であり、図２８は、リン酸化ペプチド（２）の選択的分析図であり、図２９は、リン酸化ペプチド（３）の選択的分析図であり、図３０は、リン酸化ペプチド（４）の選択的分析図であり、図３１であり、リン酸化ペプチド（５）の選択的分析図であり、図３２は、リン酸化ペプチド（６）の選択的分析図であり、図３３は、分取装置の説明図であり、図３４は、カゼイントリプシン消化物のＨＰＬＣデータの比較図であり、図３５は、ペプチドの疎水性側へのピークシフト図であり、図３６は、カゼインのトリプシン消化物の疎水性側へのピークシフト図であり、図３７は、シリンジバレル型カラムを示す斜視図であり、図３８は、カートリッジ型カラムを示す斜視図であり、図３９は、ピペットチップ型カラムを示す斜視図であり、図４０は、ウエルプレートを示す斜視図であり、図４１は、リン酸化糖を用いた分析実験の各分画分の位置を示すクロマトグラムであり、図４２は、同上各分取画分のクロマトグラムであり、図４３は、リン酸脂質を用いた分析実験の各分画分の位置を示すクロマトグラムであり、図４４は、同上分取画分の比較クロマトグラムであり、図４５は、同上分取画分の詳細クロマトグラムであり、図４６は、同上分取画分の詳細クロマトグラムであり、図４７は、同上分取画分の詳細クロマトグラムであり、図４８は、他のリン脂質を用いた分析実験の各分画分の位置を示すクロマトグラムであり、図４９は、同上分取画分の比較クロマトグラムであり、図５０は、同上分取画分の詳細クロマトグラムであり、図５１は、同上分取画分の詳細クロマトグラムである。
【図１】
2003065031.tif 000012
【図２】
2003065031.tif 000013
【図３】
2003065031.tif 000014
【図４】
2003065031.tif 000015
【図５】
2003065031.tif 000016
【図６】
2003065031.tif 000017
【図７】
2003065031.tif 000018
【図８】
2003065031.tif 000019
【図９】
2003065031.tif 000020
【図１０】
2003065031.tif 000021
【図１１】
2003065031.tif 000022
【図１２】
2003065031.tif 000023
【図１３】
2003065031.tif 000024
【図１４】
2003065031.tif 000025
【図１５】
2003065031.tif 000026
【図１６】
2003065031.tif 000027
【図１７】
2003065031.tif 000028
【図１８】
2003065031.tif 000029
【図１９】
2003065031.tif 000030
【図２０】
2003065031.tif 000031
【図２１】
2003065031.tif 000032
【図２２】
2003065031.tif 000033
【図２３】
2003065031.tif 000034
【図２４】
2003065031.tif 000035
【図２５】
2003065031.tif 000036
【図２６】
2003065031.tif 000037
【図２７】
2003065031.tif 000038
【図２８】
2003065031.tif 000039
【図２９】
2003065031.tif 000040
【図３０】
2003065031.tif 000041
【図３１】
2003065031.tif 000042
【図３２】
2003065031.tif 000043
【図３３】
2003065031.tif 000044
【図３４】
2003065031.tif 000045
【図３５】
2003065031.tif 000046
【図３６】
2003065031.tif 000047
【図３７】
2003065031.tif 000048
【図３８】
2003065031.tif 000049
【図３９】
2003065031.tif 000050
【図４０】
2003065031.tif 000051
【図４１】
2003065031.tif 000052
【図４２】
2003065031.tif 000053
【図４３】
2003065031.tif 000054
【図４４】
2003065031.tif 000055
【図４５】
2003065031.tif 000056
【図４６】
2003065031.tif 000057
【図４７】
2003065031.tif 000058
【図４８】
2003065031.tif 000059
【図４９】
2003065031.tif 000060
【図５０】
2003065031.tif 000061
【図５１】
2003065031.tif 000062
【国際調査報告】
2003065031.tif 000063
2003065031.tif 000064